(57)【要約】  本発明はデータ伝送方法、端末装置、ネットワーク装置、チップ、コンピュータ可読記憶媒体、コンピュータプログラム製品及びコンピュータプログラムを開示し、該データ伝送方法は端末装置の目標ネットワーク装置へのハンドオーバに成功したことを決定した場合、前記目標ネットワーク装置にデータを転送することを含む。
2022501888.tif 000002
【特許請求の範囲】
【請求項１】
ソースネットワーク装置に適用されるデータ伝送方法であって、
端末装置の目標ネットワーク装置へのハンドオーバに成功したことを決定した場合、前記目標ネットワーク装置にデータを転送することを含むデータ伝送方法。
【請求項２】
前記端末装置の目標ネットワーク装置へのハンドオーバに成功したことを決定した場合、前記方法は更に、
前記目標ネットワーク装置の識別子情報を受信することを含む請求項１に記載の方法。
【請求項３】
前記目標ネットワーク装置の識別子情報を受信することは、
端末装置から送信されたハンドオーバに成功した目標ネットワーク装置の識別子情報を受信すること、又は、
前記目標ネットワーク装置から送信された識別子情報を受信することを含む請求項２に記載の方法。
【請求項４】
前記目標ネットワーク装置にデータを転送することは、
前記目標ネットワーク装置にアップリンクデータ及び／又はダウンリンクデータを転送することを含む請求項１〜３のいずれか１項に記載の方法。
【請求項５】
前記目標ネットワーク装置にデータを転送することは更に、
前記目標ネットワーク装置にデータ状態報告を送信すること、
前記目標ネットワーク装置にソースネットワーク装置側のデータパケットのシーケンス番号（ＳＮ）を送信すること、
前記目標ネットワーク装置にデータ無線ベアラ（ＤＲＢ）構成を送信すること、のうちの少なくとも１つを含む請求項４に記載の方法。
【請求項６】
前記端末装置の目標ネットワーク装置へのハンドオーバに成功したことを決定した場合、前記目標ネットワーク装置にデータを転送する前に、前記方法は更に、
端末装置にハンドオーバ命令を送信し、前記ハンドオーバ命令が端末装置に少なくとも１つの目標ネットワーク装置を示すことに用いられることを含む請求項１〜５のいずれか１項に記載の方法。
【請求項７】
前記ハンドオーバ命令は少なくとも１つの目標ネットワーク装置の再構成メッセージを含む請求項６に記載の方法。
【請求項８】
ソースネットワーク装置に適用されるデータ伝送方法であって、
少なくとも１つの目標ネットワーク装置にデータを転送することを含むデータ伝送方法。
【請求項９】
前記少なくとも１つの目標ネットワーク装置にデータを転送する前に、前記方法は更に、
端末装置にハンドオーバ命令を送信し、前記ハンドオーバ命令が端末装置に前記少なくとも１つの目標ネットワーク装置を示すことに用いられることを含む請求項８に記載の方法。
【請求項１０】
前記ハンドオーバ命令は少なくとも１つの目標ネットワーク装置に対する再構成メッセージを含む請求項９に記載の方法。
【請求項１１】
前記少なくとも１つの目標ネットワーク装置にデータを転送することは、
前記少なくとも１つの目標ネットワーク装置にアップリンクデータ及び／又はダウンリンクデータを転送することを含む請求項８〜１０のいずれか１項に記載の方法。
【請求項１２】
前記少なくとも１つの目標ネットワーク装置にデータを転送することは更に、
前記少なくとも１つの目標ネットワーク装置にデータ状態報告を送信すること、
前記少なくとも１つの目標ネットワーク装置にソースネットワーク装置側のデータパケットのシーケンス番号（ＳＮ）を送信すること、
前記少なくとも１つの目標ネットワーク装置にデータ無線ベアラ（ＤＲＢ）構成を送信すること、のうちの少なくとも１つを含む請求項１１に記載の方法。
【請求項１３】
目標ネットワーク装置に適用されるデータ伝送方法であって、
端末装置の目標ネットワーク装置へのハンドオーバに成功したことを決定した場合、ソースネットワーク装置から転送されたデータを受信することを含むデータ伝送方法。
【請求項１４】
前記端末装置の目標ネットワーク装置へのハンドオーバに成功したことを決定した場合、前記方法は更に、
ソースネットワーク装置に前記目標ネットワーク装置の識別子情報を送信することを含む請求項１３に記載の方法。
【請求項１５】
前記ソースネットワーク装置から転送されたデータを受信することは、
前記ソースネットワーク装置から転送されたアップリンクデータ及び／又はダウンリンクデータを受信することを含む請求項１３又は１４に記載の方法。
【請求項１６】
前記ソースネットワーク装置から転送されたデータを受信することは更に、
前記ソースネットワーク装置から転送されたデータ状態報告を受信すること、
前記ソースネットワーク装置から転送されたソースネットワーク装置側のデータパケットのシーケンス番号（ＳＮ）を受信すること、
前記ソースネットワーク装置から転送されたデータ無線ベアラ（ＤＲＢ）構成を受信すること、のうちの少なくとも１つを含む請求項１５に記載の方法。
【請求項１７】
目標ネットワーク装置に適用されるデータ伝送方法であって、
ソースネットワーク装置から転送されたデータを受信し、前記目標ネットワーク装置はネットワーク側が端末装置に設定した少なくとも１つの目標ネットワーク装置のうちの１つであることを含むデータ伝送方法。
【請求項１８】
前記ソースネットワーク装置から転送されたデータを受信した後、前記方法は更に、
前記目標ネットワーク装置と端末装置との接続に成功した場合、前記ソースネットワーク装置から送信されたデータを保持することと、
前記目標ネットワーク装置と端末装置との接続に失敗した場合、前記ソースネットワーク装置から送信されたデータを削除することと、を含む請求項１７に記載の方法。
【請求項１９】
前記ソースネットワーク装置から転送されたデータを受信することは、
ソースネットワーク装置から転送されたアップリンクデータ及び／又はダウンリンクデータを受信することを含む請求項１７又は１８に記載の方法。
【請求項２０】
前記ソースネットワーク装置から転送されたデータを受信することは更に、
ソースネットワーク装置から転送されたデータ状態報告を受信すること、
ソースネットワーク装置から転送されたソースネットワーク装置側のデータパケットのシーケンス番号（ＳＮ）を受信すること、
ソースネットワーク装置から転送されたデータ無線ベアラ（ＤＲＢ）構成を受信すること、のうちの少なくとも１つを含む請求項１９に記載の方法。
【請求項２１】
ソースネットワーク装置であって、第１処理ユニットと第１通信ユニットを備え、
第１処理ユニットは、端末装置の目標ネットワーク装置へのハンドオーバに成功したことを決定した場合、第１通信ユニットによって前記目標ネットワーク装置にデータを転送し、
第１通信ユニットは、目標ネットワーク装置にデータを送信することに用いられるソースネットワーク装置。
【請求項２２】
前記第１通信ユニットは、前記目標ネットワーク装置の識別子情報を受信する請求項２１に記載のソースネットワーク装置。
【請求項２３】
前記第１通信ユニットは、端末装置から送信されたハンドオーバに成功した目標ネットワーク装置の識別子情報を受信し、又は、
前記目標ネットワーク装置から送信された識別子情報を受信する請求項２２に記載のソースネットワーク装置。
【請求項２４】
前記第１通信ユニットは、前記目標ネットワーク装置にアップリンクデータ及び／又はダウンリンクデータを転送する請求項２１〜２３のいずれか１項に記載のソースネットワーク装置。
【請求項２５】
前記第１通信ユニットは更に、
前記目標ネットワーク装置にデータ状態報告を送信すること、
前記目標ネットワーク装置にソースネットワーク装置側のデータパケットのシーケンス番号（ＳＮ）を送信すること、
前記目標ネットワーク装置にデータ無線ベアラ（ＤＲＢ）構成を送信すること、のうちの少なくとも１つを実行する請求項２４に記載のソースネットワーク装置。
【請求項２６】
前記第１通信ユニットは端末装置にハンドオーバ命令を送信し、前記ハンドオーバ命令は端末装置に少なくとも１つの目標ネットワーク装置を示すことに用いられる請求項２１〜２５のいずれか１項に記載のソースネットワーク装置。
【請求項２７】
前記ハンドオーバ命令は少なくとも１つの目標ネットワーク装置の再構成メッセージを含む請求項２６に記載のソースネットワーク装置。
【請求項２８】
ソースネットワーク装置であって、
少なくとも１つの目標ネットワーク装置にデータを転送する第２通信ユニットを備えるソースネットワーク装置。
【請求項２９】
前記第２通信ユニットは端末装置にハンドオーバ命令を送信し、前記ハンドオーバ命令は端末装置に前記少なくとも１つの目標ネットワーク装置を示すことに用いられる請求項２８に記載のソースネットワーク装置。
【請求項３０】
前記ハンドオーバ命令は少なくとも１つの目標ネットワーク装置に対する再構成メッセージを含む請求項２９に記載のソースネットワーク装置。
【請求項３１】
前記第２通信ユニットは、前記少なくとも１つの目標ネットワーク装置にアップリンクデータ及び／又はダウンリンクデータを転送する請求項２８〜３０のいずれか１項に記載のソースネットワーク装置。
【請求項３２】
前記第２通信ユニットは更に、
前記少なくとも１つの目標ネットワーク装置にデータ状態報告を送信すること、
前記少なくとも１つの目標ネットワーク装置にソースネットワーク装置側のデータパケットのシーケンス番号（ＳＮ）を送信すること、
前記少なくとも１つの目標ネットワーク装置にデータ無線ベアラ（ＤＲＢ）構成を送信すること、のうちの少なくとも１つを実行する請求項３１に記載のソースネットワーク装置。
【請求項３３】
目標ネットワーク装置であって、第３処理ユニットと第３通信ユニットを備え、
第３処理ユニットは、端末装置の目標ネットワーク装置へのハンドオーバに成功したことを決定した場合、第３通信ユニットによってソースネットワーク装置から転送されたデータを受信し、
第３通信ユニットは、ソースネットワーク装置から送信されたデータを受信する目標ネットワーク装置。
【請求項３４】
前記第３通信ユニットは、ソースネットワーク装置に前記目標ネットワーク装置の識別子情報を送信する請求項３３に記載の目標ネットワーク装置。
【請求項３５】
前記第３通信ユニットは、前記ソースネットワーク装置から転送されたアップリンクデータ及び／又はダウンリンクデータを受信する請求項３３又は３４に記載の目標ネットワーク装置。
【請求項３６】
前記第３通信ユニットは更に、
前記ソースネットワーク装置から転送されたデータ状態報告を受信すること、
前記ソースネットワーク装置から転送されたソースネットワーク装置側のデータパケットのシーケンス番号（ＳＮ）を受信すること、
前記ソースネットワーク装置から転送されたデータ無線ベアラ（ＤＲＢ）構成を受信すること、のうちの少なくとも１つを実行する請求項３５に記載の目標ネットワーク装置。
【請求項３７】
目標ネットワーク装置であって、第４通信ユニットを備え、
前記第４通信ユニットはソースネットワーク装置から転送されたデータを受信し、前記目標ネットワーク装置はネットワーク側が端末装置に設定した少なくとも１つの目標ネットワーク装置のうちの１つである、目標ネットワーク装置。
【請求項３８】
前記目標ネットワーク装置は第４処理ユニットを更に備え、
前記第４処理ユニットは、前記目標ネットワーク装置と端末装置との接続に成功した場合、前記ソースネットワーク装置から送信されたデータを保持し、
前記目標ネットワーク装置と端末装置との接続に失敗した場合、前記ソースネットワーク装置から送信されたデータを削除する請求項３７に記載の目標ネットワーク装置。
【請求項３９】
前記第４通信ユニットは、ソースネットワーク装置から転送されたアップリンクデータ及び／又はダウンリンクデータを受信する請求項３７又は３８に記載の目標ネットワーク装置。
【請求項４０】
前記第４通信ユニットは更に、
ソースネットワーク装置から転送されたデータ状態報告を受信すること、
ソースネットワーク装置から転送されたソースネットワーク装置側のデータパケットのシーケンス番号（ＳＮ）を受信すること、
ソースネットワーク装置から転送されたデータ無線ベアラ（ＤＲＢ）構成を受信すること、のうちの少なくとも１つを実行する請求項３９に記載の目標ネットワーク装置。
【請求項４１】
ネットワーク装置であって、プロセッサと、プロセッサにおいて実行できるコンピュータプログラムを記憶するためのメモリと、を備え、
該メモリはコンピュータプログラムを記憶することに用いられ、前記プロセッサは前記メモリに記憶されるコンピュータプログラムを呼び出して実行して、請求項１〜２０のいずれか１項に記載の方法のステップを実行することに用いられるネットワーク装置。
【請求項４２】
チップであって、メモリからコンピュータプログラムを呼び出して実行し、前記チップが取り付けられる装置に請求項１〜２０のいずれか１項に記載の方法を実行させるためのプロセッサを備えるチップ。
【請求項４３】
コンピュータプログラムを記憶することに用いられ、前記コンピュータプログラムによってコンピュータが請求項１〜２０のいずれか１項に記載の方法のステップを実行するコンピュータ可読記憶媒体。
【請求項４４】
コンピュータプログラム命令を含み、該コンピュータプログラム命令によってコンピュータが請求項１〜２０のいずれか１項に記載の方法を実行するコンピュータプログラム製品。
【請求項４５】
コンピュータに請求項１〜２０のいずれか１項に記載の方法を実行させるコンピュータプログラム。
【発明の詳細な説明】
【技術分野】
【０００１】
本発明は情報処理技術分野に関し、特にデータ伝送方法、端末装置、ネットワーク装置、チップ、コンピュータ可読記憶媒体、コンピュータプログラム製品及びコンピュータプログラムに関する。
【背景技術】
【０００２】
移動通信処理において、ハンドオーバ過程においてハンドオーバに失敗する恐れがある。従来のハンドオーバにおいて、端末装置はソースネットワーク装置のハンドオーバ命令を受信すると、ソースネットワーク装置とのデータ伝送を停止し、ソースネットワーク装置は受信されたデータの状態報告を目標ネットワーク装置に送信することとなる。しかしながら、より多くのハンドオーバシーンがある場合、どのようにソースネットワーク装置と目標ネットワーク装置とのデータ伝送を制御するかは解決すべき問題である。
【発明の概要】
【発明が解決しようとする課題】
【０００３】
上記技術的問題を解決するために、本発明の実施例はデータ伝送方法、端末装置、ネットワーク装置、チップ、コンピュータ可読記憶媒体、コンピュータプログラム製品及びコンピュータプログラムを提供する。
【課題を解決するための手段】
【０００４】
第１態様では、本発明の実施例はソースネットワーク装置に適用されるデータ伝送方法を提供し、
端末装置の目標ネットワーク装置へのハンドオーバに成功したことを決定した場合、前記目標ネットワーク装置にデータを転送することを含む。
【０００５】
第２態様では、本発明の実施例はソースネットワーク装置に適用されるデータ伝送方法を提供し、
少なくとも１つの目標ネットワーク装置にデータを転送することを含む。
【０００６】
第３態様では、本発明の実施例は目標ネットワーク装置に適用されるデータ伝送方法を提供し、
端末装置の目標ネットワーク装置へのハンドオーバに成功したことを決定した場合、ソースネットワーク装置から転送されたデータを受信することを含む。
【０００７】
第４態様では、本発明の実施例は目標ネットワーク装置に適用されるデータ伝送方法を提供し、
ソースネットワーク装置から転送されたデータを受信し、前記目標ネットワーク装置はネットワーク側が端末装置に設定した少なくとも１つの目標ネットワーク装置のうちの１つであることを含む。
【０００８】
第５態様では、本発明の実施例はソースネットワーク装置を提供し、
端末装置の目標ネットワーク装置へのハンドオーバに成功したことを決定した場合、第１通信ユニットによって前記目標ネットワーク装置にデータを転送する第１処理ユニットと、
目標ネットワーク装置にデータを送信することに用いられる第１通信ユニットと、を備える。
【０００９】
第６態様では、本発明の実施例はソースネットワーク装置を提供し、
少なくとも１つの目標ネットワーク装置にデータを転送する第２通信ユニットを備える。
【００１０】
第７態様では、本発明の実施例は目標ネットワーク装置を提供し、
端末装置の目標ネットワーク装置へのハンドオーバに成功したことを決定した場合、第３通信ユニットによってソースネットワーク装置から転送されたデータを受信する第３処理ユニットと、
ソースネットワーク装置から送信されたデータを受信する第３通信ユニットと、を備える。
【００１１】
第８態様では、本発明の実施例は目標ネットワーク装置を提供し、第４通信ユニットを備え、
前記第４通信ユニットは、ソースネットワーク装置から転送されたデータを受信し、前記目標ネットワーク装置はネットワーク側が端末装置に設定した少なくとも１つの目標ネットワーク装置のうちの１つである。
【００１２】
第９態様では、本発明の実施例はネットワーク装置を提供し、プロセッサ及びメモリを備える。該メモリはコンピュータプログラムを記憶することに用いられ、該プロセッサは該メモリに記憶されるコンピュータプログラムを呼び出して実行して、上記第４態様又はその各実現方式における方法を実行することに用いられる。
【００１３】
第１０態様では、チップを提供し、上記第１態様〜第４態様のうちのいずれか１つの態様又はその各実現方式における方法を実現することに用いられる。
【００１４】
具体的に、該チップは、メモリからコンピュータプログラムを呼び出して実行し、該チップが取り付けられる装置に上記第１態様〜第２態様のうちのいずれか１つの態様又はその各実現方式における方法を実行させるためのプロセッサを備える。
【００１５】
第１１態様では、コンピュータ可読記憶媒体を提供し、コンピュータプログラムを記憶することに用いられ、該コンピュータプログラムによってコンピュータが上記第１態様〜第４態様のうちのいずれか１つの態様又はその各実現方式における方法を実行する。
【００１６】
第１２態様では、コンピュータプログラム製品を提供し、コンピュータプログラム命令を含み、該コンピュータプログラム命令によってコンピュータが上記第１態様〜第４態様のうちのいずれか１つの態様又はその各実現方式における方法を実行する。
【００１７】
第１３態様では、コンピュータプログラムを提供し、該コンピュータプログラムがコンピュータにおいて実行されるとき、コンピュータが上記第１態様〜第４態様のうちのいずれか１つの態様又はその各実現方式における方法を実行する。
【発明の効果】
【００１８】
本発明の実施例の技術案によれば、端末装置と目標ネットワーク装置との接続に成功した後、ソースネットワーク装置から目標ネットワーク装置にデータを伝送することができる。このように、本解決手段はソースネットワーク装置がデータを送信する新たなシーンを提供し、それにより本解決手段はより多くのハンドオーバシーンに適用される。
【図面の簡単な説明】
【００１９】
【図１】図１は本願の実施例に係る通信システムアーキテクチャの模式図１である。
【図２】図２は本願の実施例に係るデータ伝送方法のフローチャート１である。
【図３】図３は本発明の実施例に係るハンドオーバ処理シーンの模式図である。
【図４】図４は本願の実施例に係るデータ伝送方法のフローチャート２である。
【図５】図５は本願の実施例に係るデータ伝送方法のフローチャート３である。
【図６】図６は本願の実施例に係るデータ伝送方法のフローチャート４である。
【図７】図７は本願の実施例に係る端末装置の要部構成模式図である。
【図８】図８は本発明の実施例に係るネットワーク装置の要部構成模式図１である。
【図９】図９は本発明の実施例に係るネットワーク装置の要部構成模式図２である。
【図１０】図１０は本発明の実施例に係る通信装置の要部構成模式図である。
【図１１】図１１は本願の実施例に係るチップの模式的なブロック図である。
【図１２】図１２は本願の実施例に係る通信システムアーキテクチャの模式図２である。
【発明を実施するための形態】
【００２０】
以下、本願の実施例の図面を参照しながら、本願の実施例の技術案を説明し、無論、説明される実施例は本願の実施例の一部であり、実施例の全部ではない。本願の実施例に基づいて、当業者が進歩性のある労働を必要とせずに取得する他の実施例は、いずれも本願の保護範囲に属する。
【００２１】
本願の実施例の技術案は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑ端末装置ｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇシステム等に適用されてもよい。
【００２２】
例示的に、本願の実施例に適用される通信システム１００は図１に示される。該通信システム１００はネットワーク装置１１０を備えてもよく、ネットワーク装置１１０は端末装置１２０（通信端末、端末とも称される）と通信する装置であってもよい。ネットワーク装置１１０は特定の地理的領域に通信カバレッジを提供することができ、且つ該カバレッジ領域内の端末装置と通信することができる。選択肢として、該ネットワーク装置１１０はＧＳＭシステム又はＣＤＭＡシステムにおけるネットワーク装置（ＢＴＳ、Ｂａｓｅ  Ｔｒａｎｓｃｅｉｖｅｒ  Ｓｔａｔｉｏｎ）、ＷＣＤＭＡシステムにおけるネットワーク装置（ＮＢ、ＮｏｄｅＢ）、ＬＴＥシステムにおける発展型ネットワーク装置（ｅＮＢ又はｅＮｏｄｅＢ、Ｅｖｏｌｕｔｉｏｎａｌ  Ｎｏｄｅ  Ｂ）、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線制御装置であってもよい。又は、該ネットワーク装置は移動交換局、中継局、アクセスポイント、車載装置、ウェアラブルデバイス、ハブ、スイッチ、ブリッジ、ルータ、５Ｇネットワークにおけるネットワーク側装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００２３】
該通信システム１００は更にネットワーク装置１１０のカバレッジ範囲内の少なくとも１つの端末装置１２０を備える。ここで使用される「端末装置」としては、有線回線を介して接続するもの、例えば公衆電話交換網（ＰＳＴＮ、Ｐｕｂｌｉｃ  Ｓｗｉｔｃｈｅｄ  Ｔｅｌｅｐｈｏｎｅ  Ｎｅｔｗｏｒｋｓ）、デジタル加入者回線（ＤＳＬ、Ｄｉｇｉｔａｌ  Ｓｕｂｓｃｒｉｂｅｒ  Ｌｉｎｅ）、デジタルケーブル、直接ケーブルを介して接続するもの、及び／又は他のデータ接続／ネットワーク、及び／又は無線インターフェース、例えばセルラーネットワーク、無線ローカルエリアネットワーク（ＷＬＡＮ、Ｗｉｒｅｌｅｓｓ  Ｌｏｃａｌ  Ａｒｅａ  Ｎｅｔｗｏｒｋ）例えばＤＶＢ−Ｈネットワークに対するデジタルテレビネットワーク、衛星ネットワーク、ＡＭ−ＦＭ放送送信機を介するもの、及び／又は他の端末装置が通信信号を送受信するように設定される装置、及び／又はモノのインターネット（ＩｏＴ、Ｉｎｔｅｒｎｅｔ  ｏｆ  Ｔｈｉｎｇｓ）装置を含むが、それらに限らない。無線インターフェースを介して通信するように設定される端末装置は「無線通信端末」、「無線端末」又は「モバイル端末」と称されてもよい。モバイル端末の例は衛星又はセルラー電話、セルラー無線電話及びデータ処理、ファックス及びデータ通信機能を組み合わせることのできるパーソナル移動通信システム（ＰＣＳ、Ｐｅｒｓｏｎａｌ  Ｃｏｍｍｕｎｉｃａｔｉｏｎｓ  Ｓｙｓｔｅｍ）端末、無線電話、ポケットベル、インターネット／イントラネットへのアクセス、Ｗｅｂブラウザ、メモ帳、カレンダー及び／又は全地球測位システム（ＧＰＳ、Ｇｌｏｂａｌ  Ｐｏｓｉｔｉｏｎｉｎｇ  Ｓｙｓｔｅｍ）受信機を備えてもよいＰＤＡ、並びに通常のラップトップ及び／又はパームトップ受信機又は無線電話送受信機を備える他の電子装置を含むが、それらに限らない。端末装置とはアクセス端末、ユーザー装置（Ｕｓｅｒ  Ｅｑｕｉｐｍｅｎｔ、端末装置）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、５Ｇネットワークにおける端末装置又は将来発展するＰＬＭＮにおける端末装置等であってもよい。
【００２４】
選択肢として、端末装置１２０同士は装置対装置（Ｄ２Ｄ、Ｄｅｖｉｃｅ  ｔｏ  Ｄｅｖｉｃｅ）通信を行うことができる。
【００２５】
選択肢として、５Ｇシステム又は５Ｇネットワークは更に新無線（ＮＲ、Ｎｅｗ  Ｒａｄｉｏ）システム又はＮＲネットワークと称されてもよい。
【００２６】
図１には１つのネットワーク装置及び２つの端末装置を例示する。選択肢として、該通信システム１００は複数のネットワーク装置を備えてもよく、且つ各ネットワーク装置のカバレッジ範囲内に他の数の端末装置が含まれてもよく、本願の実施例は制限しない。
【００２７】
選択肢として、該通信システム１００は更にネットワーク制御装置、モビリティ管理エンティティ等の他のネットワークエンティティを備えてもよく、本願の実施例は制限しない。
【００２８】
理解されるように、本願の実施例では、ネットワーク／システムにおける通信機能を持つ装置は通信装置と称されてもよい。図１に示される通信システム１００を例とし、通信装置は通信機能を持つネットワーク装置１１０及び端末装置１２０を備えてもよく、ネットワーク装置１１０及び端末装置１２０は前記具体的な装置であってもよく、ここで詳細な説明は省略する。通信装置は更に通信システム１００における他の装置、例えばネットワーク制御装置、モビリティ管理エンティティ等の他のネットワークエンティティを備えてもよく、本願の実施例は制限しない。
【００２９】
理解されるように、本明細書における用語「システム」と「ネットワーク」は本明細書において常に交換可能に使用される。本明細書における用語「及び／又は」は関連オブジェクトの関連関係を説明するためのものに過ぎず、３つの関係が存在してもよいことを示す。例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」の関係であることを示す。
【００３０】
本発明の実施例の特徴及び技術的内容をより詳しく理解するために、以下に図面を参照しながら本発明の実施例の実現を詳しく説明する。添付の図面は参照・説明のためのものに過ぎず、本発明の実施例を制限するためのものではない。
【００３１】
実施例１
本発明の実施例はソースネットワーク装置に適用されるデータ伝送方法を提供し、図２に示すように、
端末装置の目標ネットワーク装置へのハンドオーバに成功したことを決定した場合、前記目標ネットワーク装置にデータを転送するステップ２０１を含む。
【００３２】
本実施例は以下のいくつかのシーンに適用され得る。第１シーンとしては、端末装置は少なくとも１つの目標ネットワーク装置を取得し、次に少なくとも１つの目標ネットワーク装置から１つの目標ネットワーク装置を選択し、選択された目標ネットワーク装置に対して接続のハンドオーバを開始し、このとき、端末装置はソースネットワーク装置との接続を保持してもよく、ソースネットワーク装置との接続を切断してもよい。第２シーンとしては、ソースネットワーク装置は端末装置がアクセスできる少なくとも１つのネットワーク装置を決定し、次に端末装置のために少なくとも１つのネットワーク装置から目標ネットワーク装置を選択して、選択された目標ネットワーク装置を端末装置に送信し、端末装置が目標ネットワーク装置に対して接続を開始することを可能にし、このとき、ソースネットワーク装置は端末装置との接続を保持してもよく、端末装置との接続を切断してもよい。
【００３３】
目標ネットワーク装置にデータを転送する前に、又は、端末装置の目標ネットワーク装置へのハンドオーバに成功したことを決定した場合、前記方法は更に、
前記目標ネットワーク装置の識別子情報を受信することを含む。
【００３４】
目標ネットワーク装置の識別子情報を受信する方式は、
ソースネットワーク装置と端末装置が接続を保持する場合、端末装置から送信されたハンドオーバに成功した目標ネットワーク装置の識別子情報を受信し、又は、前記目標ネットワーク装置から送信された識別子情報を受信することと、
ソースネットワーク装置と端末装置が接続を切断する場合、目標ネットワーク装置から送信された識別子情報を受信することと、であってもよく、
目標ネットワーク装置はネットワークシグナリング又は指示情報により前記識別子情報を含んでもよい。
【００３５】
前記目標ネットワーク装置にデータを転送することは、前記目標ネットワーク装置にアップリンクデータ及び／又はダウンリンクデータを転送することを含む。
【００３６】
データの転送処理については、ソースネットワーク装置が少なくとも１つの目標ネットワーク装置から対応する目標ネットワーク装置の情報を取得し得る処理プロセスを参照してもよい。切り換えて関連情報を取得するプロセスについては、図３を参照してもよく、ハンドオーバ準備段階、ハンドオーバ実行段階及びハンドオーバ完了段階を含む。
【００３７】
ハンドオーバ準備段階は図中のステップ１〜６、即ちソースネットワーク装置が端末装置に測定制御を送信することと、端末装置が複数のネットワーク装置又はセルに対する測定を行った後、ソースネットワーク装置に測定報告を送信することと、ソースネットワーク装置が測定報告に基づいて（又は、ＲＲＭ情報と組み合わせて）ハンドオーバ策略を行うことと、ソースネットワーク装置が目標ネットワーク装置にハンドオーバ要求を送信することで、目標ネットワーク装置がハンドオーバを準備することと、目標ネットワーク装置がハンドオーバ要求に応じてハンドオーバ許可制御を行うことと、目標ネットワーク装置がハンドオーバを行うことを決定する場合、ソースネットワーク装置にハンドオーバ要求確認を送信することと、を含む。
【００３８】
次にハンドオーバ実行段階を行い、該ハンドオーバ実行段階は図中のステップ７〜１１、具体的に、目標ネットワーク装置がＲＲＣ情報を生成し、ＲＲＣ接続再構成情報をソースネットワーク装置に送信し、ソースネットワーク装置がＲＲＣ接続再構成情報を端末装置に送信することと、端末装置がＲＲＣ接続再構成情報を受信した後、接続再構成情報に基づいてハンドオーバ処理を実行することと、次にソースネットワーク装置が前記目標ネットワーク装置にデータを転送することと、端末装置と目標ネットワーク装置が同期した後、目標ネットワーク装置によるＵＬ割り当てを受信し、目標ネットワーク装置にＲＲＣ接続再構成完了情報を送信することと、を含む。
【００３９】
最後にハンドオーバ完了段階に入り、該ハンドオーバ完了段階は図中の１２〜１８、具体的に、目標ネットワーク装置がＭＭＥに経路ハンドオーバ要求を送信することで、端末装置のセルが変わったことをＭＭＥに通知することと、ＭＭＥがサービスゲートウェイにベアラ調整要求を送信し、ＭＭＥがダウンリンク経路のハンドオーバ処理を行うことと、サービスゲートウェイが処理を完了した後、ＭＭＥにベアラ調整完了処理を送信して、ＭＭＥが目標ネットワーク装置に経路ハンドオーバ要求の確認メッセージを送信することと、目標ネットワーク装置がソースネットワーク装置に端末装置のコンテキスト解放を通知し、ソースネットワーク装置がリソースを解放することと、を含む。
【００４０】
前記目標ネットワーク装置にデータを転送することは更に、
前記目標ネットワーク装置にデータ状態報告を送信すること、前記目標ネットワーク装置にソースネットワーク装置側のデータパケットのシーケンス番号（ＳＮ）を送信すること、前記目標ネットワーク装置にデータ無線ベアラ（ＤＲＢ）構成を送信すること、のうちの少なくとも１つを含む。
【００４１】
具体的に、ソースネットワーク装置が目標ネットワーク装置に転送した情報はＳＮ状態伝送情報を含んでもよい。ＳＮ状態情報にはアップリンクパケットデータ収束プロトコル（ＰＤＣＰ、Ｐａｃｋｅｔ  Ｄａｔａ  Ｃｏｎｖｅｒｇｅｎｃｅ  Ｐｒｏｔｏｃｏｌ）ＳＮの受信状態及びダウンリンクＰＤＣＰ  ＳＮの伝送状態等が含まれる。更に、アップリンクＰＤＣＰ  ＳＮの受信状態は少なくともＰＤＣＰ  ＳＮの１番目の紛失したアップリンクＳＤＵを含み、更にアップリンクＳＤＵの順不同受信状態のビットマップを含んでもよい。ダウンリンクＰＤＣＰ  ＳＮの伝送状態は次のＰＤＣＰ  ＳＮを含んでもよく、次のＰＤＣＰ  ＳＮは目標ネットワーク装置が割り当てようとする新たなＳＤＵである。なお、ここで他の情報を網羅しない。
【００４２】
更に、本実施例の１つのシーンは端末装置が切り換えるとき、ソースネットワーク装置との接続状態を保持する場合を含み、このとき、目標ネットワーク装置はセカンダリノード（ＳＮ）であってもよく、前記ソースネットワーク装置はマスターノード（ＭＮ）である。ここで注意されるように、ロングタームエボリューション（ＬＴＥ）システムにおいて、ＳＮはＳＣＧと称されるが、新無線（ＮＲ）においてＳＮと称され、同様の概念、即ちＤＣシーンにおける第２サービスネットワーク装置を指す。具体的に、端末装置の接続状態は端末装置がソースネットワーク装置との接続を保持して、目標ネットワーク装置との接続に失敗すること、端末装置がソースネットワーク装置との接続を切断して、目標ネットワーク装置との接続に成功すること、端末装置がセカンダリセル群（ＳＣＧ）との接続に失敗し、ＳＣＧが接続の変化に失敗することであってもよい。当然ながら、複数のＳＣＧを設定したシーンにおいて、端末装置と１つのＳＣＧとの接続に失敗すること、複数の目標セルを設定したシーンにおいて、端末装置と１つの目標セルとの接続に失敗することであってもよい。他の適用シーンがある可能性があるが、本実施例では網羅しない。
【００４３】
また、上記シーンにおいて、第１目標ネットワーク装置に対して接続を開始するとともに、ソースネットワーク装置の接続を保持する場合、本実施例の端末装置は更にソースネットワーク装置との接続を保持してもよい。前記端末装置はソースネットワーク装置との間の第１プロトコルスタック及び第１関連暗号鍵を保持して、第１目標ネットワーク装置との間の第２プロトコルスタック及び第２関連暗号鍵を維持し、前記第１関連暗号鍵が第２関連暗号鍵と異なる。第２関連暗号鍵が第１関連暗号鍵により生成されてもよい。
【００４４】
第１プロトコルスタックと第２プロトコルスタックは同じであってもよく、異なってもよく、少なくとも部分的に異なってもよい。例えば、５Ｇシステムに対する場合、端末装置とソースネットワーク装置との間及び端末装置と第１目標ネットワーク装置との間に異なるサービスデータ適応プロトコル（ＳＤＡＰ、Ｓｅｒｖｉｃｅ  Ｄａｔａ  Ａｄａｐｔａｔｉｏｎ  Ｐｒｏｔｏｃｏｌ）、異なるパケットデータ収束プロトコル（ＰＤＣＰ、Ｐａｃｋｅｔ  Ｄａｔａ  Ｃｏｎｖｅｒｇｅｎｃｅ  Ｐｒｏｔｏｃｏｌ）、異なる無線リンク制御プロトコル（ＲＬＣ、Ｒａｄｉｏ  Ｌｉｎｋ  Ｃｏｎｔｒｏｌ）、異なる媒体アクセス制御（ＭＡＣ）エンティティ、異なる低位レイヤ（Ｌｏｗ  ｌａｙｅｒ）エンティティを維持してもよい。４Ｇシステムに対する場合、端末装置とソースネットワーク装置との間及び端末装置と第１目標ネットワーク装置との間に異なるパケットデータ収束プロトコル（ＰＤＣＰ、Ｐａｃｋｅｔ  Ｄａｔａ  Ｃｏｎｖｅｒｇｅｎｃｅ  Ｐｒｏｔｏｃｏｌ）、異なる無線リンク制御プロトコル（ＲＬＣ、Ｒａｄｉｏ  Ｌｉｎｋ  Ｃｏｎｔｒｏｌ）、異なる媒体アクセス制御（ＭＡＣ）エンティティ、異なる低位レイヤ（Ｌｏｗ  ｌａｙｅｒ）エンティティを維持してもよい。また、本実施例に係る解決手段において、異なる暗号鍵を使用するように確保するために、第１プロトコルスタック及び第２プロトコルスタックのＰＤＣＰは異ならなければならない。ＳＤＡＰ、ＲＬＣ、ＭＡＣ及び物理層のうちの少なくとも１つは同じであってもよく、異なってもよい。又は、前記第１プロトコルスタック及び第２プロトコルスタックはＳＤＡＰ、ＲＬＣ、ＭＡＣ及び物理層のうちの少なくとも１つを共有してもよく、それぞれＳＤＡＰ、ＲＬＣ、ＭＡＣ及び物理層を有してもよい。
【００４５】
本実施例の他のシーンにおいて、ソースネットワーク装置は端末装置に複数の目標ネットワーク装置を設定する可能性があり、このとき、前記端末装置の目標ネットワーク装置へのハンドオーバに成功したことを決定した場合、前記目標ネットワーク装置にデータを転送する前に、前記方法は更に、端末装置にハンドオーバ命令を送信し、前記ハンドオーバ命令は端末装置に少なくとも１つの目標ネットワーク装置を示すことに用いられることを含む。すなわち、ソースネットワーク装置が端末装置に複数の目標ネットワーク装置を設定した場合、それに応じて、前記端末装置はその中から現在接続を開始する目標ネットワーク装置として１つのものを選択することとなり、このとき、ソースネットワーク装置と接続を保持したり、切断したりしてもよい。
【００４６】
前記ハンドオーバ命令は少なくとも１つの目標ネットワーク装置の再構成メッセージを含む。ソースネットワーク装置は複数の目標ネットワーク装置の再構成メッセージを一回限りで端末装置に送信してもよく、１回１つの目標ネットワーク装置の再構成メッセージしか送信しないが、複数回送信し、例えば１つの目標ネットワーク装置へのハンドオーバに失敗した後、ソースネットワーク装置が他の新たな目標ネットワーク装置の再構成メッセージを送信してもよく、ここで詳細な説明は省略する。
【００４７】
以上によれば、上記解決手段により、端末装置と目標ネットワーク装置との接続に成功した後、ソースネットワーク装置は目標ネットワーク装置にデータを伝送することができる。このように、本解決手段はソースネットワーク装置がデータを送信する新たなシーンを提供し、それにより本解決手段はより多くのハンドオーバシーンに適用される。
【００４８】
実施例２
本発明の実施例はソースネットワーク装置に適用されるデータ伝送方法を提供し、図４に示すように、
少なくとも１つの目標ネットワーク装置にデータを転送するステップ４０１を含む。
【００４９】
実施例１との相違点は、本実施例が端末装置と目標ネットワーク装置との接続の確立に成功した場合にデータを送信するように制限しないが、直接に複数の目標ネットワーク装置にデータを送信することである。
【００５０】
本実施例が適用可能なシーンは端末装置が少なくとも１つの目標ネットワーク装置を取得し、次に少なくとも１つの目標ネットワーク装置から１つの目標ネットワーク装置を選択し、選択された目標ネットワーク装置に対して接続のハンドオーバを開始することである。このとき、端末装置はソースネットワーク装置との接続を保持してもよく、ソースネットワーク装置との接続を切断してもよい。
【００５１】
前記目標ネットワーク装置にデータを転送することは、前記目標ネットワーク装置にアップリンクデータ及び／又はダウンリンクデータを転送することを含む。
【００５２】
データの転送処理については、ソースネットワーク装置が少なくとも１つの目標ネットワーク装置から対応する目標ネットワーク装置の情報を取得する処理プロセスを参照してもよい。切り換えて関連情報を取得するプロセスについては、図３を参照してもよく、ハンドオーバ準備段階、ハンドオーバ実行段階及びハンドオーバ完了段階を含む。
【００５３】
ハンドオーバ準備段階は図中のステップ１〜６、即ちソースネットワーク装置が端末装置に測定制御を送信することと、端末装置が複数のネットワーク装置又はセルに対する測定を行った後、ソースネットワーク装置に測定報告を送信することと、ソースネットワーク装置が測定報告に基づいて（又は、ＲＲＭ情報と組み合わせて）ハンドオーバ策略を行うことと、ソースネットワーク装置が目標ネットワーク装置にハンドオーバ要求を送信することで、目標ネットワーク装置がハンドオーバを準備することと、目標ネットワーク装置がハンドオーバ要求に応じてハンドオーバ許可制御を行うことと、目標ネットワーク装置がハンドオーバを行うことを決定する場合、ソースネットワーク装置にハンドオーバ要求確認を送信することと、を含む。
【００５４】
次にハンドオーバ実行段階を行い、該ハンドオーバ実行段階は図中のステップ７〜１１、具体的に、目標ネットワーク装置がＲＲＣ情報を生成し、ＲＲＣ接続再構成情報をソースネットワーク装置に送信し、ソースネットワーク装置がＲＲＣ接続再構成情報を端末装置に送信することと、端末装置がＲＲＣ接続再構成情報を受信した後、接続再構成情報に基づいてハンドオーバ処理を実行することと、次にソースネットワーク装置が前記目標ネットワーク装置にデータを転送することと、端末装置と目標ネットワーク装置が同期した後、目標ネットワーク装置によるＵＬ割り当てを受信し、目標ネットワーク装置にＲＲＣ接続再構成完了情報を送信することと、を含む。
【００５５】
最後にハンドオーバ完了段階に入り、該ハンドオーバ完了段階は図中の１２〜１８、具体的に、目標ネットワーク装置がＭＭＥに経路ハンドオーバ要求を送信することで、端末装置のセルが変わったことをＭＭＥに通知することと、ＭＭＥがサービスゲートウェイにベアラ調整要求を送信し、ＭＭＥがダウンリンク経路のハンドオーバ処理を行うことと、サービスゲートウェイが処理を完了した後、ＭＭＥにベアラ調整完了処理を送信して、ＭＭＥが目標ネットワーク装置に経路ハンドオーバ要求の確認メッセージを送信することと、目標ネットワーク装置がソースネットワーク装置に端末装置のコンテキスト解放を通知し、ソースネットワーク装置がリソースを解放することと、を含む。
【００５６】
前記目標ネットワーク装置にデータを転送することは更に、
前記目標ネットワーク装置にデータ状態報告を送信すること、前記目標ネットワーク装置にソースネットワーク装置側のデータパケットのシーケンス番号（ＳＮ）を送信すること、前記目標ネットワーク装置にデータ無線ベアラ（ＤＲＢ）構成を送信すること、のうちの少なくとも１つを含む。
【００５７】
具体的に、ソースネットワーク装置が目標ネットワーク装置に転送した情報はＳＮ状態伝送情報を含んでもよく、ＳＮ状態情報にはアップリンクパケットデータ収束プロトコル（ＰＤＣＰ、Ｐａｃｋｅｔ  Ｄａｔａ  Ｃｏｎｖｅｒｇｅｎｃｅ  Ｐｒｏｔｏｃｏｌ）ＳＮの受信状態及びダウンリンクＰＤＣＰ  ＳＮの伝送状態等が含まれる。更に、アップリンクＰＤＣＰ  ＳＮの受信状態は少なくともＰＤＣＰ  ＳＮの１番目の紛失したアップリンクＳＤＵを含み、更にアップリンクＳＤＵの順不同受信状態のビットマップを含んでもよい。ダウンリンクＰＤＣＰ  ＳＮの伝送状態は次のＰＤＣＰ  ＳＮを含んでもよく、次のＰＤＣＰ  ＳＮは目標ネットワーク装置が割り当てようとする新たなＳＤＵである。なお、ここで他の情報を網羅しない。
【００５８】
更に、目標ネットワーク装置はセカンダリノード（ＳＮ）であってもよく、前記ソースネットワーク装置はマスターノード（ＭＮ）である。ここで注意されるように、ロングタームエボリューション（ＬＴＥ）システムにおいて、ＳＮはＳＣＧと称されるが、新無線（ＮＲ）においてＳＮと称され、同様の概念、即ちＤＣシーンにおける第２サービスネットワーク装置を指す。具体的に、端末装置の接続状態は端末装置がソースネットワーク装置との接続を保持して、目標ネットワーク装置との接続に失敗すること、端末装置がソースネットワーク装置との接続を切断して、目標ネットワーク装置との接続に成功すること、端末装置がセカンダリセル群（ＳＣＧ）との接続に失敗し、ＳＣＧが接続の変化に失敗することであってもよい。当然ながら、複数のＳＣＧを設定したシーンにおいて、端末装置と１つのＳＣＧとの接続に失敗すること、複数の目標セルを設定したシーンにおいて、端末装置と１つの目標セルとの接続に失敗することであってもよい。他の適用シーンがある可能性があるが、本実施例では網羅しない。
【００５９】
本実施例のシーンにおいて、ソースネットワーク装置は端末装置に複数の目標ネットワーク装置を設定する可能性があり、このとき、前記少なくとも１つの目標ネットワーク装置にデータを転送する前に、前記方法は更に、
端末装置にハンドオーバ命令を送信し、前記ハンドオーバ命令は端末装置に前記少なくとも１つの目標ネットワーク装置を示すことに用いられることを含む。
【００６０】
すなわち、ソースネットワーク装置が端末装置に複数の目標ネットワーク装置を設定した場合、それに応じて、前記端末装置はその中から現在接続を開始する目標ネットワーク装置として１つのものを選択することとなり、このとき、ソースネットワーク装置と接続を保持したり、切断したりしてもよい。
【００６１】
前記ハンドオーバ命令は少なくとも１つの目標ネットワーク装置の再構成メッセージを含む。ソースネットワーク装置は複数の目標ネットワーク装置の再構成メッセージを一回限りで端末装置に送信してもよく、１回１つの目標ネットワーク装置の再構成メッセージしか送信しないが、複数回送信し、例えば１つの目標ネットワーク装置へのハンドオーバに失敗した後、ソースネットワーク装置が他の新たな目標ネットワーク装置の再構成メッセージを送信してもよく、ここで詳細な説明は省略する。
【００６２】
以上によれば、上記解決手段により、ソースネットワーク装置は直接に端末装置の少なくとも１つの目標ネットワーク装置にデータを伝送することができる。このように、本解決手段はソースネットワーク装置がデータを送信する新たなシーンを提供し、それにより本解決手段はより多くのハンドオーバシーンに適用される。且つ、ソースネットワーク装置は直接に目標ネットワーク装置にデータを送信することができるため、本解決手段はハンドオーバを完了した後、端末装置の関連データを取得するプロセスを簡素化することができ、それによりハンドオーバ効率を更に向上させる。
【００６３】
実施例３
本発明の実施例は目標ネットワーク装置に適用されるデータ伝送方法を提供し、図５に示すように、
端末装置の目標ネットワーク装置へのハンドオーバに成功したことを決定した場合、ソースネットワーク装置から転送されたデータを受信するステップ５０１を含む。
【００６４】
本実施例が適用可能なシーンはいくつかある。第１シーンとしては、端末装置が少なくとも１つの目標ネットワーク装置を取得し、次に少なくとも１つの目標ネットワーク装置から１つの目標ネットワーク装置を選択し、選択された目標ネットワーク装置に対して接続のハンドオーバを開始し、このとき、端末装置がソースネットワーク装置との接続を保持してもよく、ソースネットワーク装置との接続を切断してもよい。第２シーンとしては、ソースネットワーク装置は端末装置がアクセスできる少なくとも１つのネットワーク装置を決定し、次に端末装置のために少なくとも１つのネットワーク装置から目標ネットワーク装置を選択して、選択された目標ネットワーク装置を端末装置に送信し、端末装置が目標ネットワーク装置に対して接続を開始することを可能にし、このとき、ソースネットワーク装置が端末装置との接続を保持してもよく、端末装置との接続を切断してもよい。
【００６５】
目標ネットワーク装置にデータを転送する前に、又は、端末装置の目標ネットワーク装置へのハンドオーバに成功したことを決定した場合、前記方法は更に、
ソースネットワーク装置に前記目標ネットワーク装置の識別子情報を送信することを含む。
【００６６】
目標ネットワーク装置の識別子情報を受信する方式は、ソースネットワーク装置と端末装置が接続を保持する場合、端末装置から送信されたハンドオーバに成功した目標ネットワーク装置の識別子情報を受信し、又は、前記目標ネットワーク装置から送信された識別子情報を受信することと、
ソースネットワーク装置と端末装置が接続を切断する場合、目標ネットワーク装置から送信された識別子情報を受信することと、であってもよく、
目標ネットワーク装置はネットワークシグナリング又は指示情報により前記識別子情報を含んでもよい。
【００６７】
前記ソースネットワーク装置から転送されたデータを受信することは、
前記ソースネットワーク装置から転送されたアップリンクデータ及び／又はダウンリンクデータを受信することを含む。
【００６８】
データの転送処理については、ソースネットワーク装置が少なくとも１つの目標ネットワーク装置から対応する目標ネットワーク装置の情報を取得する処理プロセスを参照してもよい。切り換えて関連情報を取得するプロセスについては、図３を参照してもよく、ハンドオーバ準備段階、ハンドオーバ実行段階及びハンドオーバ完了段階を含む。
【００６９】
ハンドオーバ準備段階は図中のステップ１〜６、即ちソースネットワーク装置が端末装置に測定制御を送信することと、端末装置が複数のネットワーク装置又はセルに対する測定を行った後、ソースネットワーク装置に測定報告を送信することと、ソースネットワーク装置が測定報告に基づいて（又は、ＲＲＭ情報と組み合わせて）ハンドオーバ策略を行うことと、ソースネットワーク装置が目標ネットワーク装置にハンドオーバ要求を送信することで、目標ネットワーク装置がハンドオーバを準備することと、目標ネットワーク装置がハンドオーバ要求に応じてハンドオーバ許可制御を行うことと、目標ネットワーク装置がハンドオーバを行うことを決定する場合、ソースネットワーク装置にハンドオーバ要求確認を送信することと、を含む。
【００７０】
次にハンドオーバ実行段階を行い、該ハンドオーバ実行段階は図中のステップ７〜１１、具体的に、目標ネットワーク装置がＲＲＣ情報を生成し、ＲＲＣ接続再構成情報をソースネットワーク装置に送信し、ソースネットワーク装置がＲＲＣ接続再構成情報を端末装置に送信することと、端末装置がＲＲＣ接続再構成情報を受信した後、接続再構成情報に基づいてハンドオーバ処理を実行することと、次にソースネットワーク装置が前記目標ネットワーク装置にデータを転送することと、端末装置と目標ネットワーク装置が同期した後、目標ネットワーク装置によるＵＬ割り当てを受信し、目標ネットワーク装置にＲＲＣ接続再構成完了情報を送信することと、を含む。
【００７１】
最後にハンドオーバ完了段階に入り、該ハンドオーバ完了段階は図中の１２〜１８、具体的に、目標ネットワーク装置がＭＭＥに経路ハンドオーバ要求を送信することで、端末装置のセルが変わったことをＭＭＥに通知することと、ＭＭＥがサービスゲートウェイにベアラ調整要求を送信し、ＭＭＥがダウンリンク経路のハンドオーバ処理を行うことと、サービスゲートウェイが処理を完了した後、ＭＭＥにベアラ調整完了処理を送信して、ＭＭＥが目標ネットワーク装置に経路ハンドオーバ要求の確認メッセージを送信することと、目標ネットワーク装置がソースネットワーク装置に端末装置のコンテキスト解放を通知し、ソースネットワーク装置がリソースを解放することと、を含む。
【００７２】
前記ソースネットワーク装置から転送されたデータを受信することは更に、
前記ソースネットワーク装置から転送されたデータ状態報告を受信すること、
前記ソースネットワーク装置から転送されたソースネットワーク装置側のデータパケットのシーケンス番号（ＳＮ）を受信すること、
前記ソースネットワーク装置から転送されたデータ無線ベアラ（ＤＲＢ）構成を受信すること、のうちの少なくとも１つを含む。
【００７３】
具体的に、ソースネットワーク装置が目標ネットワーク装置に転送した情報はＳＮ状態伝送情報を含んでもよく、ＳＮ状態情報にはアップリンクパケットデータ収束プロトコル（ＰＤＣＰ、Ｐａｃｋｅｔ  Ｄａｔａ  Ｃｏｎｖｅｒｇｅｎｃｅ  Ｐｒｏｔｏｃｏｌ）ＳＮの受信状態及びダウンリンクＰＤＣＰ  ＳＮの伝送状態等が含まれる。更に、アップリンクＰＤＣＰ  ＳＮの受信状態は少なくともＰＤＣＰ  ＳＮの１番目の紛失したアップリンクＳＤＵを含み、更にアップリンクＳＤＵの順不同受信状態のビットマップを含んでもよい。ダウンリンクＰＤＣＰ  ＳＮの伝送状態は次のＰＤＣＰ  ＳＮを含んでもよく、次のＰＤＣＰ  ＳＮは目標ネットワーク装置が割り当てようとする新たなＳＤＵである。なお、ここで他の情報を網羅しない。
【００７４】
更に説明されるように、本実施例の１つのシーンは端末装置が切り換えるとき、ソースネットワーク装置との接続状態を保持する場合を含み、このとき、目標ネットワーク装置がセカンダリノード（ＳＮ）であってもよく、前記ソースネットワーク装置がマスターノード（ＭＮ）である。ここで注意されるように、ロングタームエボリューション（ＬＴＥ）システムにおいて、ＳＮはＳＣＧと称されるが、新無線（ＮＲ）においてＳＮと称され、同様の概念、即ちＤＣシーンにおける第２サービスネットワーク装置を指す。具体的に、端末装置の接続状態は端末装置がソースネットワーク装置との接続を保持して、目標ネットワーク装置との接続に失敗すること、端末装置がソースネットワーク装置との接続を切断して、目標ネットワーク装置との接続に成功すること、端末装置がセカンダリセル群（ＳＣＧ）との接続に失敗し、ＳＣＧが接続の変化に失敗することであってもよい。当然ながら、複数のＳＣＧを設定したシーンにおいて、端末装置と１つのＳＣＧとの接続に失敗すること、複数の目標セルを設定したシーンにおいて、端末装置と１つの目標セルとの接続に失敗することであってもよい。他の適用シーンがある可能性があるが、本実施例では網羅しない。
【００７５】
また、上記シーンにおいて、第１目標ネットワーク装置に対して接続を開始するとともに、ソースネットワーク装置の接続を保持する場合、本実施例の端末装置は更にソースネットワーク装置との接続を保持してもよい。前記端末装置はソースネットワーク装置との間の第１プロトコルスタック及び第１関連暗号鍵を保持して、第１目標ネットワーク装置との間の第２プロトコルスタック及び第２関連暗号鍵を維持し、前記第１関連暗号鍵が第２関連暗号鍵と異なる。第２関連暗号鍵が第１関連暗号鍵により生成されてもよい。
【００７６】
第１プロトコルスタックと第２プロトコルスタックは同じであってもよく、異なってもよく、少なくとも部分的に異なってもよい。例えば、５Ｇシステムに対する場合、端末装置とソースネットワーク装置との間及び端末装置と第１目標ネットワーク装置との間に異なるサービスデータ適応プロトコル（ＳＤＡＰ、Ｓｅｒｖｉｃｅ  Ｄａｔａ  Ａｄａｐｔａｔｉｏｎ  Ｐｒｏｔｏｃｏｌ）、異なるパケットデータ収束プロトコル（ＰＤＣＰ、Ｐａｃｋｅｔ  Ｄａｔａ  Ｃｏｎｖｅｒｇｅｎｃｅ  Ｐｒｏｔｏｃｏｌ）、異なる無線リンク制御プロトコル（ＲＬＣ、Ｒａｄｉｏ  Ｌｉｎｋ  Ｃｏｎｔｒｏｌ）、異なる媒体アクセス制御（ＭＡＣ）エンティティ、異なる低位レイヤ（Ｌｏｗ  ｌａｙｅｒ）エンティティを維持してもよい。４Ｇシステムに対する場合、端末装置とソースネットワーク装置との間及び端末装置と第１目標ネットワーク装置との間に異なるパケットデータ収束プロトコル（ＰＤＣＰ、Ｐａｃｋｅｔ  Ｄａｔａ  Ｃｏｎｖｅｒｇｅｎｃｅ  Ｐｒｏｔｏｃｏｌ）、異なる無線リンク制御プロトコル（ＲＬＣ、Ｒａｄｉｏ  Ｌｉｎｋ  Ｃｏｎｔｒｏｌ）、異なる媒体アクセス制御（ＭＡＣ）エンティティ、異なる低位レイヤ（Ｌｏｗ  ｌａｙｅｒ）エンティティを維持してもよい。また、本実施例に係る解決手段において、異なる暗号鍵を使用するように確保するために、第１プロトコルスタック及び第２プロトコルスタックのＰＤＣＰは異ならなければならない。ＳＤＡＰ、ＲＬＣ、ＭＡＣ及び物理層のうちの少なくとも１つは同じであってもよく、異なってもよい。又は、前記第１プロトコルスタック及び第２プロトコルスタックはＳＤＡＰ、ＲＬＣ、ＭＡＣ及び物理層のうちの少なくとも１つを共有してもよく、それぞれＳＤＡＰ、ＲＬＣ、ＭＡＣ及び物理層を有してもよい。
【００７７】
本実施例の他のシーンにおいて、ソースネットワーク装置は端末装置に複数の目標ネットワーク装置を設定する可能性があり、このとき、前記端末装置の目標ネットワーク装置へのハンドオーバに成功したことを決定した場合、前記目標ネットワーク装置にデータを転送する前に、前記方法は更に、端末装置にハンドオーバ命令を送信し、前記ハンドオーバ命令は端末装置に少なくとも１つの目標ネットワーク装置を示すことに用いられることを含む。すなわち、ソースネットワーク装置が端末装置に複数の目標ネットワーク装置を設定した場合、それに応じて、前記端末装置はその中から現在接続を開始する目標ネットワーク装置として１つのものを選択することとなり、このとき、ソースネットワーク装置と接続を保持したり、切断したりしてもよい。
【００７８】
前記ハンドオーバ命令は少なくとも１つの目標ネットワーク装置の再構成メッセージを含む。ソースネットワーク装置は複数の目標ネットワーク装置の再構成メッセージを一回限りで端末装置に送信してもよく、１回１つの目標ネットワーク装置の再構成メッセージしか送信しないが、複数回送信し、例えば１つの目標ネットワーク装置へのハンドオーバに失敗した後、ソースネットワーク装置が他の新たな目標ネットワーク装置の再構成メッセージを送信してもよく、ここで詳細な説明は省略する。
【００７９】
以上によれば、上記解決手段により、端末装置と目標ネットワーク装置との接続に成功した後、ソースネットワーク装置は目標ネットワーク装置にデータを伝送することができる。このように、本解決手段はソースネットワーク装置がデータを送信する新たなシーンを提供し、それにより本解決手段はより多くのハンドオーバシーンに適用される。
【００８０】
実施例４
本発明の実施例は目標ネットワーク装置に適用されるデータ伝送方法を提供し、図６に示すように、
ソースネットワーク装置から転送されたデータを受信し、前記目標ネットワーク装置はネットワーク側が端末装置に設定した少なくとも１つの目標ネットワーク装置のうちの１つであるステップ６０１を含む。
【００８１】
実施例３との相違点は、本実施例が端末装置と目標ネットワーク装置との接続の確立に成功した場合にデータを送信するように制限しないが、直接に複数の目標ネットワーク装置にデータを送信することである。
【００８２】
本実施例が適用可能なシーンは端末装置が少なくとも１つの目標ネットワーク装置を取得し、次に少なくとも１つの目標ネットワーク装置から１つの目標ネットワーク装置を選択し、選択された目標ネットワーク装置に対して接続のハンドオーバを開始することである。このとき、端末装置はソースネットワーク装置との接続を保持してもよく、ソースネットワーク装置との接続を切断してもよい。
【００８３】
前記ソースネットワーク装置から転送されたデータを受信することは、ソースネットワーク装置から転送されたアップリンクデータ及び／又はダウンリンクデータを受信することを含む。
【００８４】
データの転送処理については、ソースネットワーク装置が少なくとも１つの目標ネットワーク装置から対応する目標ネットワーク装置の情報を取得する処理プロセスを参照してもよい。切り換えて関連情報を取得するプロセスについては、図３を参照してもよく、ハンドオーバ準備段階、ハンドオーバ実行段階及びハンドオーバ完了段階を含む。
【００８５】
ハンドオーバ準備段階は図中のステップ１〜６、即ちソースネットワーク装置が端末装置に測定制御を送信することと、端末装置が複数のネットワーク装置又はセルに対する測定を行った後、ソースネットワーク装置に測定報告を送信することと、ソースネットワーク装置が測定報告に基づいて（又は、ＲＲＭ情報と組み合わせて）ハンドオーバ策略を行うことと、ソースネットワーク装置が目標ネットワーク装置にハンドオーバ要求を送信することで、目標ネットワーク装置がハンドオーバを準備することと、目標ネットワーク装置がハンドオーバ要求に応じてハンドオーバ許可制御を行うことと、目標ネットワーク装置がハンドオーバを行うことを決定する場合、ソースネットワーク装置にハンドオーバ要求確認を送信することと、を含む。
【００８６】
次にハンドオーバ実行段階を行い、該ハンドオーバ実行段階は図中のステップ７〜１１、具体的に、目標ネットワーク装置がＲＲＣ情報を生成し、ＲＲＣ接続再構成情報をソースネットワーク装置に送信し、ソースネットワーク装置がＲＲＣ接続再構成情報を端末装置に送信することと、端末装置がＲＲＣ接続再構成情報を受信した後、接続再構成情報に基づいてハンドオーバ処理を実行することと、次にソースネットワーク装置が前記目標ネットワーク装置にデータを転送することと、端末装置と目標ネットワーク装置が同期した後、目標ネットワーク装置によるＵＬ割り当てを受信し、目標ネットワーク装置にＲＲＣ接続再構成完了情報を送信することと、を含む。
【００８７】
最後にハンドオーバ完了段階に入り、該ハンドオーバ完了段階は図中の１２〜１８、具体的に、目標ネットワーク装置がＭＭＥに経路ハンドオーバ要求を送信することで、端末装置のセルが変わったことをＭＭＥに通知することと、ＭＭＥがサービスゲートウェイにベアラ調整要求を送信し、ＭＭＥがダウンリンク経路のハンドオーバ処理を行うことと、サービスゲートウェイが処理を完了した後、ＭＭＥにベアラ調整完了処理を送信して、ＭＭＥが目標ネットワーク装置に経路ハンドオーバ要求の確認メッセージを送信することと、目標ネットワーク装置がソースネットワーク装置に端末装置のコンテキスト解放を通知し、ソースネットワーク装置がリソースを解放することと、を含む。
【００８８】
前記ソースネットワーク装置から転送されたデータを受信することは更に、
ソースネットワーク装置から転送されたデータ状態報告を受信すること、
ソースネットワーク装置から転送されたソースネットワーク装置側のデータパケットのシーケンス番号（ＳＮ）を受信すること、
ソースネットワーク装置から転送されたデータ無線ベアラ（ＤＲＢ）構成を受信すること、のうちの少なくとも１つを含む。
【００８９】
具体的に、ソースネットワーク装置が目標ネットワーク装置に転送した情報はＳＮ状態伝送情報を含んでもよく、ＳＮ状態情報にはアップリンクパケットデータ収束プロトコル（ＰＤＣＰ、Ｐａｃｋｅｔ  Ｄａｔａ  Ｃｏｎｖｅｒｇｅｎｃｅ  Ｐｒｏｔｏｃｏｌ）ＳＮの受信状態及びダウンリンクＰＤＣＰ  ＳＮの伝送状態等が含まれる。更に、アップリンクＰＤＣＰ  ＳＮの受信状態は少なくともＰＤＣＰ  ＳＮの１番目の紛失したアップリンクＳＤＵを含み、更にアップリンクＳＤＵの順不同受信状態のビットマップを含んでもよい。ダウンリンクＰＤＣＰ  ＳＮの伝送状態は次のＰＤＣＰ  ＳＮを含んでもよく、次のＰＤＣＰ  ＳＮは目標ネットワーク装置が割り当てようとする新たなＳＤＵである。なお、ここで他の情報を網羅しない。
【００９０】
更に、目標ネットワーク装置はセカンダリノード（ＳＮ）であってもよく、前記ソースネットワーク装置はマスターノード（ＭＮ）である。ここで注意されるように、ロングタームエボリューション（ＬＴＥ）システムにおいて、ＳＮはＳＣＧと称されるが、新無線（ＮＲ）においてＳＮと称され、同様の概念、即ちＤＣシーンにおける第２サービスネットワーク装置を指す。具体的に、端末装置の接続状態は端末装置がソースネットワーク装置との接続を保持して、目標ネットワーク装置との接続に失敗すること、端末装置がソースネットワーク装置との接続を切断して、目標ネットワーク装置との接続に成功すること、端末装置がセカンダリセル群（ＳＣＧ）との接続に失敗し、ＳＣＧが接続の変化に失敗することであってもよい。当然ながら、複数のＳＣＧを設定したシーンにおいて、端末装置と１つのＳＣＧとの接続に失敗すること、複数の目標セルを設定したシーンにおいて、端末装置と１つの目標セルとの接続に失敗することであってもよい。他の適用シーンがある可能性があるが、本実施例では網羅しない。
【００９１】
本実施例のシーンにおいて、ソースネットワーク装置は端末装置に複数の目標ネットワーク装置を設定する可能性がある。このとき、前記ソースネットワーク装置から転送されたデータを受信した後、前記方法は更に、
前記目標ネットワーク装置と端末装置との接続に成功した場合、前記ソースネットワーク装置から送信されたデータを保持することと、
前記目標ネットワーク装置と端末装置との接続に失敗した場合、前記ソースネットワーク装置から送信されたデータを削除することと、を含む。
【００９２】
すなわち、目標ネットワーク装置と端末装置が接続を行うとき、ソースネットワーク装置から送信されたデータを受信し始めるが、目標ネットワーク装置と端末装置との接続の確立に成功又は失敗したことを決定する場合、ソースネットワーク装置から送信されたデータを保持するかどうかを決定する。このように、ネットワーク装置の記憶負荷を増加せずにハンドオーバ効率を確保することができる。
【００９３】
以上によれば、上記解決手段により、ソースネットワーク装置は直接に端末装置の少なくとも１つの目標ネットワーク装置とデータ伝送を行うことができる。このように、本解決手段はソースネットワーク装置がデータを送信する新たなシーンを提供し、それにより本解決手段はより多くのハンドオーバシーンに適用され、且つ、ソースネットワーク装置は直接に目標ネットワーク装置にデータを送信することができるため、本解決手段はハンドオーバを完了した後、端末装置の関連データを取得するプロセスを簡素化することができ、それによりハンドオーバ効率を更に向上させる。
【００９４】
実施例５
本発明の実施例はソースネットワーク装置を提供し、図７に示すように、
端末装置の目標ネットワーク装置へのハンドオーバに成功したことを決定した場合、第１通信ユニットによって前記目標ネットワーク装置にデータを転送する第１処理ユニット７１と、
目標ネットワーク装置にデータを送信することに用いられる第１通信ユニット７２と、を備える。
【００９５】
本実施例が適用可能なシーンはいくつかある。第１シーンとしては、端末装置が少なくとも１つの目標ネットワーク装置を取得し、次に少なくとも１つの目標ネットワーク装置から１つの目標ネットワーク装置を選択し、選択された目標ネットワーク装置に対して接続のハンドオーバを開始し、このとき、端末装置がソースネットワーク装置との接続を保持してもよく、ソースネットワーク装置との接続を切断してもよい。第２シーンとしては、ソースネットワーク装置は端末装置がアクセスできる少なくとも１つのネットワーク装置を決定し、次に端末装置のために少なくとも１つのネットワーク装置から目標ネットワーク装置を選択して、選択された目標ネットワーク装置を端末装置に送信し、端末装置が目標ネットワーク装置に対して接続を開始することを可能にし、このとき、ソースネットワーク装置が端末装置との接続を保持してもよく、端末装置との接続を切断してもよい。
【００９６】
目標ネットワーク装置にデータを転送する前に、又は、端末装置の目標ネットワーク装置へのハンドオーバに成功したことを決定した場合、第１通信ユニット７２は前記目標ネットワーク装置の識別子情報を受信する。
【００９７】
目標ネットワーク装置の識別子情報を受信する方式は、ソースネットワーク装置と端末装置が接続を保持する場合、端末装置から送信されたハンドオーバに成功した目標ネットワーク装置の識別子情報を受信し、又は、前記目標ネットワーク装置から送信された識別子情報を受信することと、
ソースネットワーク装置と端末装置が接続を切断する場合、目標ネットワーク装置から送信された識別子情報を受信することと、であってもよく、
目標ネットワーク装置はネットワークシグナリング又は指示情報により前記識別子情報を含んでもよい。
【００９８】
前記目標ネットワーク装置にデータを転送することは、前記目標ネットワーク装置にアップリンクデータ及び／又はダウンリンクデータを転送することを含む。
【００９９】
データの転送処理については、ソースネットワーク装置が少なくとも１つの目標ネットワーク装置から対応する目標ネットワーク装置の情報を取得する処理プロセスを参照してもよい。切り換えて関連情報を取得するプロセスについては、図３を参照してもよく、ハンドオーバ準備段階、ハンドオーバ実行段階及びハンドオーバ完了段階を含む。
【０１００】
ハンドオーバ準備段階は図中のステップ１〜６、即ちソースネットワーク装置が端末装置に測定制御を送信することと、端末装置が複数のネットワーク装置又はセルに対する測定を行った後、ソースネットワーク装置に測定報告を送信することと、ソースネットワーク装置が測定報告に基づいて（又は、ＲＲＭ情報と組み合わせて）ハンドオーバ策略を行うことと、ソースネットワーク装置が目標ネットワーク装置にハンドオーバ要求を送信することで、目標ネットワーク装置がハンドオーバを準備することと、目標ネットワーク装置がハンドオーバ要求に応じてハンドオーバ許可制御を行うことと、目標ネットワーク装置がハンドオーバを行うことを決定する場合、ソースネットワーク装置にハンドオーバ要求確認を送信することと、を含む。
【０１０１】
次にハンドオーバ実行段階を行い、該ハンドオーバ実行段階は図中のステップ７〜１１、具体的に、目標ネットワーク装置がＲＲＣ情報を生成し、ＲＲＣ接続再構成情報をソースネットワーク装置に送信し、ソースネットワーク装置がＲＲＣ接続再構成情報を端末装置に送信することと、端末装置がＲＲＣ接続再構成情報を受信した後、接続再構成情報に基づいてハンドオーバ処理を実行することと、次にソースネットワーク装置が前記目標ネットワーク装置にデータを転送することと、端末装置と目標ネットワーク装置が同期した後、目標ネットワーク装置によるＵＬ割り当てを受信し、目標ネットワーク装置にＲＲＣ接続再構成完了情報を送信することと、を含む。
【０１０２】
最後にハンドオーバ完了段階に入り、該ハンドオーバ完了段階は図中の１２〜１８、具体的に、目標ネットワーク装置がＭＭＥに経路ハンドオーバ要求を送信することで、端末装置のセルが変わったことをＭＭＥに通知することと、ＭＭＥがサービスゲートウェイにベアラ調整要求を送信し、ＭＭＥがダウンリンク経路のハンドオーバ処理を行うことと、サービスゲートウェイが処理を完了した後、ＭＭＥにベアラ調整完了処理を送信して、ＭＭＥが目標ネットワーク装置に経路ハンドオーバ要求の確認メッセージを送信することと、目標ネットワーク装置がソースネットワーク装置に端末装置のコンテキスト解放を通知し、ソースネットワーク装置がリソースを解放することと、を含む。
【０１０３】
前記第１通信ユニット７２は、
前記目標ネットワーク装置にデータ状態報告を送信すること、前記目標ネットワーク装置にソースネットワーク装置側のデータパケットのシーケンス番号（ＳＮ）を送信すること、前記目標ネットワーク装置にデータ無線ベアラ（ＤＲＢ）構成を送信すること、のうちの少なくとも１つを実行する。
【０１０４】
具体的に、ソースネットワーク装置が目標ネットワーク装置に転送した情報はＳＮ状態伝送情報を含んでもよく、ＳＮ状態情報にはアップリンクパケットデータ収束プロトコル（ＰＤＣＰ、Ｐａｃｋｅｔ  Ｄａｔａ  Ｃｏｎｖｅｒｇｅｎｃｅ  Ｐｒｏｔｏｃｏｌ）ＳＮの受信状態及びダウンリンクＰＤＣＰ  ＳＮの伝送状態等が含まれる。更に、アップリンクＰＤＣＰ  ＳＮの受信状態は少なくともＰＤＣＰ  ＳＮの１番目の紛失したアップリンクＳＤＵを含み、更にアップリンクＳＤＵの順不同受信状態のビットマップを含んでもよい。ダウンリンクＰＤＣＰ  ＳＮの伝送状態は次のＰＤＣＰ  ＳＮを含んでもよく、次のＰＤＣＰ  ＳＮは目標ネットワーク装置が割り当てようとする新たなＳＤＵである。なお、ここで他の情報を網羅しない。
【０１０５】
更に説明されるように、本実施例の１つのシーンは端末装置が切り換えるとき、ソースネットワーク装置との接続状態を保持する場合を含み、このとき、目標ネットワーク装置がセカンダリノード（ＳＮ）であってもよく、前記ソースネットワーク装置がマスターノード（ＭＮ）である。ここで注意されるように、ロングタームエボリューション（ＬＴＥ）システムにおいて、ＳＮはＳＣＧと称されるが、新無線（ＮＲ）においてＳＮと称され、同様の概念、即ちＤＣシーンにおける第２サービスネットワーク装置を指す。具体的に、端末装置の接続状態は端末装置がソースネットワーク装置との接続を保持して、目標ネットワーク装置との接続に失敗すること、端末装置がソースネットワーク装置との接続を切断して、目標ネットワーク装置との接続に成功すること、端末装置がセカンダリセル群（ＳＣＧ）との接続に失敗し、ＳＣＧが接続の変化に失敗することであってもよい。当然ながら、複数のＳＣＧを設定したシーンにおいて、端末装置と１つのＳＣＧとの接続に失敗すること、複数の目標セルを設定したシーンにおいて、端末装置と１つの目標セルとの接続に失敗することであってもよい。他の適用シーンがある可能性があるが、本実施例では網羅しない。
【０１０６】
また、上記シーンにおいて、第１目標ネットワーク装置に対して接続を開始するとともに、ソースネットワーク装置の接続を保持する場合、本実施例の端末装置は更にソースネットワーク装置との接続を保持してもよい。前記端末装置はソースネットワーク装置との間の第１プロトコルスタック及び第１関連暗号鍵を保持して、第１目標ネットワーク装置との間の第２プロトコルスタック及び第２関連暗号鍵を維持し、前記第１関連暗号鍵が第２関連暗号鍵と異なる。第２関連暗号鍵は第１関連暗号鍵により生成されてもよい。
【０１０７】
第１プロトコルスタックと第２プロトコルスタックは同じであってもよく、異なってもよく、少なくとも部分的に異なってもよい。例えば、５Ｇシステムに対する場合、端末装置とソースネットワーク装置との間及び端末装置と第１目標ネットワーク装置との間に異なるサービスデータ適応プロトコル（ＳＤＡＰ、Ｓｅｒｖｉｃｅ  Ｄａｔａ  Ａｄａｐｔａｔｉｏｎ  Ｐｒｏｔｏｃｏｌ）、異なるパケットデータ収束プロトコル（ＰＤＣＰ、Ｐａｃｋｅｔ  Ｄａｔａ  Ｃｏｎｖｅｒｇｅｎｃｅ  Ｐｒｏｔｏｃｏｌ）、異なる無線リンク制御プロトコル（ＲＬＣ、Ｒａｄｉｏ  Ｌｉｎｋ  Ｃｏｎｔｒｏｌ）、異なる媒体アクセス制御（ＭＡＣ）エンティティ、異なる低位レイヤ（Ｌｏｗ  ｌａｙｅｒ）エンティティを維持してもよい。４Ｇシステムに対する場合、端末装置とソースネットワーク装置との間及び端末装置と第１目標ネットワーク装置との間に異なるパケットデータ収束プロトコル（ＰＤＣＰ、Ｐａｃｋｅｔ  Ｄａｔａ  Ｃｏｎｖｅｒｇｅｎｃｅ  Ｐｒｏｔｏｃｏｌ）、異なる無線リンク制御プロトコル（ＲＬＣ、Ｒａｄｉｏ  Ｌｉｎｋ  Ｃｏｎｔｒｏｌ）、異なる媒体アクセス制御（ＭＡＣ）エンティティ、異なる低位レイヤ（Ｌｏｗ  ｌａｙｅｒ）エンティティを維持してもよい。また、本実施例に係る解決手段において、異なる暗号鍵を使用するように確保するために、第１プロトコルスタック及び第２プロトコルスタックのＰＤＣＰは異ならなければならない。ＳＤＡＰ、ＲＬＣ、ＭＡＣ及び物理層のうちの少なくとも１つは同じであってもよく、異なってもよい。又は、前記第１プロトコルスタック及び第２プロトコルスタックはＳＤＡＰ、ＲＬＣ、ＭＡＣ及び物理層のうちの少なくとも１つを共有してもよく、それぞれＳＤＡＰ、ＲＬＣ、ＭＡＣ及び物理層を有してもよい。
【０１０８】
本実施例の他のシーンにおいて、ソースネットワーク装置は端末装置に複数の目標ネットワーク装置を設定する可能性がある。このとき、前記端末装置の目標ネットワーク装置へのハンドオーバに成功したことを決定した場合、前記目標ネットワーク装置にデータを転送する前に、前記方法は更に、端末装置にハンドオーバ命令を送信し、前記ハンドオーバ命令は端末装置に少なくとも１つの目標ネットワーク装置を示すことに用いられることを含む。すなわち、ソースネットワーク装置が端末装置に複数の目標ネットワーク装置を設定した場合、それに応じて、前記端末装置はその中から現在接続を開始する目標ネットワーク装置として１つのものを選択することとなり、このとき、ソースネットワーク装置と接続を保持したり、切断したりしてもよい。
【０１０９】
前記ハンドオーバ命令は少なくとも１つの目標ネットワーク装置の再構成メッセージを含む。ソースネットワーク装置は複数の目標ネットワーク装置の再構成メッセージを一回限りで端末装置に送信してもよく、１回１つの目標ネットワーク装置の再構成メッセージしか送信しないが、複数回送信し、例えば１つの目標ネットワーク装置へのハンドオーバに失敗した後、ソースネットワーク装置が他の新たな目標ネットワーク装置の再構成メッセージを送信してもよく、ここで詳細な説明は省略する。
【０１１０】
以上によれば、上記解決手段により、端末装置と目標ネットワーク装置との接続に成功した後、ソースネットワーク装置は目標ネットワーク装置にデータを伝送することができる。このように、本解決手段はソースネットワーク装置がデータを送信する新たなシーンを提供し、それにより本解決手段はより多くのハンドオーバシーンに適用される。
【０１１１】
実施例６
本発明の実施例はソースネットワーク装置を提供し、
少なくとも１つの目標ネットワーク装置にデータを転送する第２通信ユニットを備える。
【０１１２】
本実施例は端末装置と目標ネットワーク装置との接続の確立に成功した場合にデータを送信するように制限しないが、直接に複数の目標ネットワーク装置にデータを送信する。
【０１１３】
本実施例が適用可能なシーンは端末装置が少なくとも１つの目標ネットワーク装置を取得し、次に少なくとも１つの目標ネットワーク装置から１つの目標ネットワーク装置を選択し、選択された目標ネットワーク装置に対して接続のハンドオーバを開始することである。このとき、端末装置はソースネットワーク装置との接続を保持してもよく、ソースネットワーク装置との接続を切断してもよい。
【０１１４】
前記第２通信ユニットは前記目標ネットワーク装置にアップリンクデータ及び／又はダウンリンクデータを転送する。
【０１１５】
データの転送処理については、ソースネットワーク装置が少なくとも１つの目標ネットワーク装置から対応する目標ネットワーク装置の情報を取得する処理プロセスを参照してもよい。切り換えて関連情報を取得するプロセスについては、図３を参照してもよく、ハンドオーバ準備段階、ハンドオーバ実行段階及びハンドオーバ完了段階を含む。
【０１１６】
ハンドオーバ準備段階は図中のステップ１〜６、即ちソースネットワーク装置が端末装置に測定制御を送信することと、端末装置が複数のネットワーク装置又はセルに対する測定を行った後、ソースネットワーク装置に測定報告を送信することと、ソースネットワーク装置が測定報告に基づいて（又は、ＲＲＭ情報と組み合わせて）ハンドオーバ策略を行うことと、ソースネットワーク装置が目標ネットワーク装置にハンドオーバ要求を送信することで、目標ネットワーク装置がハンドオーバを準備することと、目標ネットワーク装置がハンドオーバ要求に応じてハンドオーバ許可制御を行うことと、目標ネットワーク装置がハンドオーバを行うことを決定する場合、ソースネットワーク装置にハンドオーバ要求確認を送信することと、を含む。
【０１１７】
次にハンドオーバ実行段階を行い、該ハンドオーバ実行段階は図中のステップ７〜１１、具体的に、目標ネットワーク装置がＲＲＣ情報を生成し、ＲＲＣ接続再構成情報をソースネットワーク装置に送信し、ソースネットワーク装置がＲＲＣ接続再構成情報を端末装置に送信することと、端末装置がＲＲＣ接続再構成情報を受信した後、接続再構成情報に基づいてハンドオーバ処理を実行することと、次にソースネットワーク装置が前記目標ネットワーク装置にデータを転送することと、端末装置と目標ネットワーク装置が同期した後、目標ネットワーク装置によるＵＬ割り当てを受信し、目標ネットワーク装置にＲＲＣ接続再構成完了情報を送信することと、を含む。
【０１１８】
最後にハンドオーバ完了段階に入り、該ハンドオーバ完了段階は図中の１２〜１８、具体的に、目標ネットワーク装置がＭＭＥに経路ハンドオーバ要求を送信することで、端末装置のセルが変わったことをＭＭＥに通知することと、ＭＭＥがサービスゲートウェイにベアラ調整要求を送信し、ＭＭＥがダウンリンク経路のハンドオーバ処理を行うことと、サービスゲートウェイが処理を完了した後、ＭＭＥにベアラ調整完了処理を送信して、ＭＭＥが目標ネットワーク装置に経路ハンドオーバ要求の確認メッセージを送信することと、目標ネットワーク装置がソースネットワーク装置に端末装置のコンテキスト解放を通知し、ソースネットワーク装置がリソースを解放することと、を含む。
【０１１９】
前記第２通信ユニットは更に、
前記目標ネットワーク装置にデータ状態報告を送信すること、前記目標ネットワーク装置にソースネットワーク装置側のデータパケットのシーケンス番号（ＳＮ）を送信すること、前記目標ネットワーク装置にデータ無線ベアラ（ＤＲＢ）構成を送信すること、のうちの少なくとも１つを実行する。
【０１２０】
具体的に、ソースネットワーク装置が目標ネットワーク装置に転送した情報はＳＮ状態伝送情報を含んでもよく、ＳＮ状態情報にはアップリンクパケットデータ収束プロトコル（ＰＤＣＰ、Ｐａｃｋｅｔ  Ｄａｔａ  Ｃｏｎｖｅｒｇｅｎｃｅ  Ｐｒｏｔｏｃｏｌ）ＳＮの受信状態及びダウンリンクＰＤＣＰ  ＳＮの伝送状態等が含まれる。更に、アップリンクＰＤＣＰ  ＳＮの受信状態は少なくともＰＤＣＰ  ＳＮの１番目の紛失したアップリンクＳＤＵを含み、更にアップリンクＳＤＵの順不同受信状態のビットマップを含んでもよい。ダウンリンクＰＤＣＰ  ＳＮの伝送状態は次のＰＤＣＰ  ＳＮを含んでもよく、次のＰＤＣＰ  ＳＮは目標ネットワーク装置が割り当てようとする新たなＳＤＵである。なお、ここで他の情報を網羅しない。
【０１２１】
更に説明されるように、目標ネットワーク装置がセカンダリノード（ＳＮ）であってもよく、前記ソースネットワーク装置がマスターノード（ＭＮ）である。ここで注意されるように、ロングタームエボリューション（ＬＴＥ）システムにおいて、ＳＮはＳＣＧと称されるが、新無線（ＮＲ）においてＳＮと称され、同様の概念、即ちＤＣシーンにおける第２サービスネットワーク装置を指す。具体的に、端末装置の接続状態は端末装置がソースネットワーク装置との接続を保持して、目標ネットワーク装置との接続に失敗すること、端末装置がソースネットワーク装置との接続を切断して、目標ネットワーク装置との接続に成功すること、端末装置がセカンダリセル群（ＳＣＧ）との接続に失敗し、ＳＣＧが接続の変化に失敗することであってもよい。当然ながら、複数のＳＣＧを設定したシーンにおいて、端末装置と１つのＳＣＧとの接続に失敗すること、複数の目標セルを設定したシーンにおいて、端末装置と１つの目標セルとの接続に失敗することであってもよい。他の適用シーンがある可能性があるが、本実施例では網羅しない。
【０１２２】
本実施例のシーンにおいて、ソースネットワーク装置は端末装置に複数の目標ネットワーク装置を設定する可能性がある。このとき、前記少なくとも１つの目標ネットワーク装置にデータを転送する前に、前記第２通信ユニットは端末装置にハンドオーバ命令を送信し、前記ハンドオーバ命令は端末装置に前記少なくとも１つの目標ネットワーク装置を示すことに用いられる。
【０１２３】
すなわち、ソースネットワーク装置が端末装置に複数の目標ネットワーク装置を設定した場合、それに応じて、前記端末装置はその中から現在接続を開始する目標ネットワーク装置として１つのものを選択することとなり、このとき、ソースネットワーク装置と接続を保持したり、切断したりしてもよい。
【０１２４】
前記ハンドオーバ命令は少なくとも１つの目標ネットワーク装置の再構成メッセージを含む。ソースネットワーク装置は複数の目標ネットワーク装置の再構成メッセージを一回限りで端末装置に送信してもよく、１回１つの目標ネットワーク装置の再構成メッセージしか送信しないが、複数回送信し、例えば１つの目標ネットワーク装置へのハンドオーバに失敗した後、ソースネットワーク装置が他の新たな目標ネットワーク装置の再構成メッセージを送信してもよく、ここで詳細な説明は省略する。
【０１２５】
以上によれば、上記解決手段により、ソースネットワーク装置は直接に端末装置の少なくとも１つの目標ネットワーク装置にデータを伝送することができる。このように、本解決手段はソースネットワーク装置がデータを送信する新たなシーンを提供し、それにより本解決手段はより多くのハンドオーバシーンに適用される。且つ、ソースネットワーク装置は直接に目標ネットワーク装置にデータを送信することができるため、本解決手段はハンドオーバを完了した後、端末装置の関連データを取得するプロセスを簡素化することができ、それによりハンドオーバ効率を更に向上させる。
【０１２６】
実施例７
本発明の実施例は目標ネットワーク装置を提供し、図８に示すように、
端末装置の目標ネットワーク装置へのハンドオーバに成功したことを決定した場合、第３通信ユニットによってソースネットワーク装置から転送されたデータを受信する第３処理ユニット８１と、
ソースネットワーク装置から送信されたデータを受信する第３通信ユニット８２と、を備える。
【０１２７】
本実施例が適用可能なシーンはいくつかある。第１シーンとしては、端末装置が少なくとも１つの目標ネットワーク装置を取得し、次に少なくとも１つの目標ネットワーク装置から１つの目標ネットワーク装置を選択し、選択された目標ネットワーク装置に対して接続のハンドオーバを開始し、このとき、端末装置がソースネットワーク装置との接続を保持してもよく、ソースネットワーク装置との接続を切断してもよい。第２シーンとしては、ソースネットワーク装置は端末装置がアクセスできる少なくとも１つのネットワーク装置を決定し、次に端末装置のために少なくとも１つのネットワーク装置から目標ネットワーク装置を選択して、選択された目標ネットワーク装置を端末装置に送信し、端末装置が目標ネットワーク装置に対して接続を開始することを可能にし、このとき、ソースネットワーク装置は端末装置との接続を保持してもよく、端末装置との接続を切断してもよい。
【０１２８】
目標ネットワーク装置にデータを転送する前に、又は、端末装置の目標ネットワーク装置へのハンドオーバに成功したことを決定した場合、第３通信ユニット８２はソースネットワーク装置に前記目標ネットワーク装置の識別子情報を送信する。
【０１２９】
目標ネットワーク装置の識別子情報を受信する方式は、ソースネットワーク装置と端末装置が接続を保持する場合、端末装置から送信されたハンドオーバに成功した目標ネットワーク装置の識別子情報を受信し、又は、前記目標ネットワーク装置から送信された識別子情報を受信することと、
ソースネットワーク装置と端末装置が接続を切断する場合、目標ネットワーク装置から送信された識別子情報を受信することと、であってもよく、
目標ネットワーク装置はネットワークシグナリング又は指示情報により前記識別子情報を含んでもよい。
【０１３０】
前記ソースネットワーク装置から転送されたデータを受信することは、
前記ソースネットワーク装置から転送されたアップリンクデータ及び／又はダウンリンクデータを受信することを含む。
【０１３１】
データの転送処理については、ソースネットワーク装置が少なくとも１つの目標ネットワーク装置から対応する目標ネットワーク装置の情報を取得する処理プロセスを参照してもよい。切り換えて関連情報を取得するプロセスについては、図３を参照してもよく、ハンドオーバ準備段階、ハンドオーバ実行段階及びハンドオーバ完了段階を含む。
【０１３２】
ハンドオーバ準備段階は図中のステップ１〜６、即ちソースネットワーク装置が端末装置に測定制御を送信することと、端末装置が複数のネットワーク装置又はセルに対する測定を行った後、ソースネットワーク装置に測定報告を送信することと、ソースネットワーク装置が測定報告に基づいて（又は、ＲＲＭ情報と組み合わせて）ハンドオーバ策略を行うことと、ソースネットワーク装置が目標ネットワーク装置にハンドオーバ要求を送信することで、目標ネットワーク装置がハンドオーバを準備することと、目標ネットワーク装置がハンドオーバ要求に応じてハンドオーバ許可制御を行うことと、目標ネットワーク装置がハンドオーバを行うことを決定する場合、ソースネットワーク装置にハンドオーバ要求確認を送信することと、を含む。
【０１３３】
次にハンドオーバ実行段階を行い、該ハンドオーバ実行段階は図中のステップ７〜１１、具体的に、目標ネットワーク装置がＲＲＣ情報を生成し、ＲＲＣ接続再構成情報をソースネットワーク装置に送信し、ソースネットワーク装置がＲＲＣ接続再構成情報を端末装置に送信することと、端末装置がＲＲＣ接続再構成情報を受信した後、接続再構成情報に基づいてハンドオーバ処理を実行することと、次にソースネットワーク装置が前記目標ネットワーク装置にデータを転送することと、端末装置と目標ネットワーク装置が同期した後、目標ネットワーク装置によるＵＬ割り当てを受信し、目標ネットワーク装置にＲＲＣ接続再構成完了情報を送信することと、を含む。
【０１３４】
最後にハンドオーバ完了段階に入り、該ハンドオーバ完了段階は図中の１２〜１８、具体的に、目標ネットワーク装置がＭＭＥに経路ハンドオーバ要求を送信することで、端末装置のセルが変わったことをＭＭＥに通知することと、ＭＭＥがサービスゲートウェイにベアラ調整要求を送信し、ＭＭＥがダウンリンク経路のハンドオーバ処理を行うことと、サービスゲートウェイが処理を完了した後、ＭＭＥにベアラ調整完了処理を送信して、ＭＭＥが目標ネットワーク装置に経路ハンドオーバ要求の確認メッセージを送信することと、目標ネットワーク装置がソースネットワーク装置に端末装置のコンテキスト解放を通知し、ソースネットワーク装置がリソースを解放することと、を含む。
【０１３５】
前記第３通信ユニット８２は更に、
前記ソースネットワーク装置から転送されたデータ状態報告を受信すること、
前記ソースネットワーク装置から転送されたソースネットワーク装置側のデータパケットのシーケンス番号（ＳＮ）を受信すること、
前記ソースネットワーク装置から転送されたデータ無線ベアラ（ＤＲＢ）構成を受信すること、のうちの少なくとも１つを実行する。
【０１３６】
具体的に、ソースネットワーク装置が目標ネットワーク装置に転送した情報はＳＮ状態伝送情報を含んでもよく、ＳＮ状態情報にはアップリンクパケットデータ収束プロトコル（ＰＤＣＰ、Ｐａｃｋｅｔ  Ｄａｔａ  Ｃｏｎｖｅｒｇｅｎｃｅ  Ｐｒｏｔｏｃｏｌ）ＳＮの受信状態及びダウンリンクＰＤＣＰ  ＳＮの伝送状態等が含まれる。更に、アップリンクＰＤＣＰ  ＳＮの受信状態は少なくともＰＤＣＰ  ＳＮの１番目の紛失したアップリンクＳＤＵを含み、更にアップリンクＳＤＵの順不同受信状態のビットマップを含んでもよい。ダウンリンクＰＤＣＰ  ＳＮの伝送状態は次のＰＤＣＰ  ＳＮを含んでもよく、次のＰＤＣＰ  ＳＮは目標ネットワーク装置が割り当てようとする新たなＳＤＵである。なお、ここで他の情報を網羅しない。
【０１３７】
更に説明されるように、本実施例の１つのシーンは端末装置が切り換えるとき、ソースネットワーク装置との接続状態を保持する場合を含み、このとき、目標ネットワーク装置がセカンダリノード（ＳＮ）であってもよく、前記ソースネットワーク装置がマスターノード（ＭＮ）である。ここで注意されるように、ロングタームエボリューション（ＬＴＥ）システムにおいて、ＳＮはＳＣＧと称されるが、新無線（ＮＲ）においてＳＮと称され、同様の概念、即ちＤＣシーンにおける第２サービスネットワーク装置を指す。具体的に、端末装置の接続状態は端末装置がソースネットワーク装置との接続を保持して、目標ネットワーク装置との接続に失敗すること、端末装置がソースネットワーク装置との接続を切断して、目標ネットワーク装置との接続に成功すること、端末装置がセカンダリセル群（ＳＣＧ）との接続に失敗し、ＳＣＧが接続の変化に失敗することであってもよい。当然ながら、複数のＳＣＧを設定したシーンにおいて、端末装置と１つのＳＣＧとの接続に失敗すること、複数の目標セルを設定したシーンにおいて、端末装置と１つの目標セルとの接続に失敗することであってもよい。他の適用シーンがある可能性があるが、本実施例では網羅しない。
【０１３８】
また、上記シーンにおいて、第１目標ネットワーク装置に対して接続を開始するとともに、ソースネットワーク装置の接続を保持する場合、本実施例の端末装置は更にソースネットワーク装置との接続を保持してもよい。前記端末装置はソースネットワーク装置との間の第１プロトコルスタック及び第１関連暗号鍵を保持して、第１目標ネットワーク装置との間の第２プロトコルスタック及び第２関連暗号鍵を維持し、前記第１関連暗号鍵が第２関連暗号鍵と異なる。第２関連暗号鍵は第１関連暗号鍵により生成されてもよい。
【０１３９】
第１プロトコルスタックと第２プロトコルスタックは同じであってもよく、異なってもよく、少なくとも部分的に異なってもよい。例えば、５Ｇシステムに対する場合、端末装置とソースネットワーク装置との間及び端末装置と第１目標ネットワーク装置との間に異なるサービスデータ適応プロトコル（ＳＤＡＰ、Ｓｅｒｖｉｃｅ  Ｄａｔａ  Ａｄａｐｔａｔｉｏｎ  Ｐｒｏｔｏｃｏｌ）、異なるパケットデータ収束プロトコル（ＰＤＣＰ、Ｐａｃｋｅｔ  Ｄａｔａ  Ｃｏｎｖｅｒｇｅｎｃｅ  Ｐｒｏｔｏｃｏｌ）、異なる無線リンク制御プロトコル（ＲＬＣ、Ｒａｄｉｏ  Ｌｉｎｋ  Ｃｏｎｔｒｏｌ）、異なる媒体アクセス制御（ＭＡＣ）エンティティ、異なる低位レイヤ（Ｌｏｗ  ｌａｙｅｒ）エンティティを維持してもよい。４Ｇシステムに対する場合、端末装置とソースネットワーク装置との間及び端末装置と第１目標ネットワーク装置との間に異なるパケットデータ収束プロトコル（ＰＤＣＰ、Ｐａｃｋｅｔ  Ｄａｔａ  Ｃｏｎｖｅｒｇｅｎｃｅ  Ｐｒｏｔｏｃｏｌ）、異なる無線リンク制御プロトコル（ＲＬＣ、Ｒａｄｉｏ  Ｌｉｎｋ  Ｃｏｎｔｒｏｌ）、異なる媒体アクセス制御（ＭＡＣ）エンティティ、異なる低位レイヤ（Ｌｏｗ  ｌａｙｅｒ）エンティティを維持してもよい。また、本実施例に係る解決手段において、異なる暗号鍵を使用するように確保するために、第１プロトコルスタック及び第２プロトコルスタックのＰＤＣＰは異ならなければならない。ＳＤＡＰ、ＲＬＣ、ＭＡＣ及び物理層のうちの少なくとも１つは同じであってもよく、異なってもよい。又は、前記第１プロトコルスタック及び第２プロトコルスタックはＳＤＡＰ、ＲＬＣ、ＭＡＣ及び物理層のうちの少なくとも１つを共有してもよく、それぞれＳＤＡＰ、ＲＬＣ、ＭＡＣ及び物理層を有してもよい。
【０１４０】
本実施例の他のシーンにおいて、ソースネットワーク装置は端末装置に複数の目標ネットワーク装置を設定する可能性がある。このとき、前記端末装置の目標ネットワーク装置へのハンドオーバに成功したことを決定した場合、前記目標ネットワーク装置にデータを転送する前に、前記第３通信ユニット８２は端末装置にハンドオーバ命令を送信し、前記ハンドオーバ命令は端末装置に少なくとも１つの目標ネットワーク装置を示すことに用いられる。すなわち、ソースネットワーク装置が端末装置に複数の目標ネットワーク装置を設定した場合、それに応じて、前記端末装置はその中から現在接続を開始する目標ネットワーク装置として１つのものを選択することとなり、このとき、ソースネットワーク装置と接続を保持したり、切断したりしてもよい。
【０１４１】
前記ハンドオーバ命令は少なくとも１つの目標ネットワーク装置の再構成メッセージを含む。ソースネットワーク装置は複数の目標ネットワーク装置の再構成メッセージを一回限りで端末装置に送信してもよく、１回１つの目標ネットワーク装置の再構成メッセージしか送信しないが、複数回送信し、例えば１つの目標ネットワーク装置へのハンドオーバに失敗した後、ソースネットワーク装置が他の新たな目標ネットワーク装置の再構成メッセージを送信してもよく、ここで詳細な説明は省略する。
【０１４２】
以上によれば、上記解決手段により、端末装置と目標ネットワーク装置との接続に成功した後、ソースネットワーク装置は目標ネットワーク装置にデータを伝送することができる。このように、本解決手段はソースネットワーク装置がデータを送信する新たなシーンを提供し、それにより本解決手段はより多くのハンドオーバシーンに適用される。
【０１４３】
実施例８
本発明の実施例は目標ネットワーク装置を提供し、図９に示すように、第４通信ユニット９１を備え、
前記第４通信ユニット９１はソースネットワーク装置から転送されたデータを受信し、前記目標ネットワーク装置はネットワーク側が端末装置に設定した少なくとも１つの目標ネットワーク装置のうちの１つである。
【０１４４】
実施例３との相違点は、本実施例が端末装置と目標ネットワーク装置との接続の確立に成功した場合にデータを送信するように制限しないが、直接に複数の目標ネットワーク装置にデータを送信することである。
【０１４５】
本実施例が適用可能なシーンは端末装置が少なくとも１つの目標ネットワーク装置を取得し、次に少なくとも１つの目標ネットワーク装置から１つの目標ネットワーク装置を選択し、選択された目標ネットワーク装置に対して接続のハンドオーバを開始することである。このとき、端末装置はソースネットワーク装置との接続を保持してもよく、ソースネットワーク装置との接続を切断してもよい。
【０１４６】
前記第４通信ユニット９１はソースネットワーク装置から転送されたアップリンクデータ及び／又はダウンリンクデータを受信する。
【０１４７】
データの転送処理については、ソースネットワーク装置が少なくとも１つの目標ネットワーク装置から対応する目標ネットワーク装置の情報を取得する処理プロセスを参照してもよい。切り換えて関連情報を取得するプロセスについては、図３を参照してもよく、ハンドオーバ準備段階、ハンドオーバ実行段階及びハンドオーバ完了段階を含む。
【０１４８】
ハンドオーバ準備段階は図中のステップ１〜６、即ちソースネットワーク装置が端末装置に測定制御を送信することと、端末装置が複数のネットワーク装置又はセルに対する測定を行った後、ソースネットワーク装置に測定報告を送信することと、ソースネットワーク装置が測定報告に基づいて（又は、ＲＲＭ情報と組み合わせて）ハンドオーバ策略を行うことと、ソースネットワーク装置が目標ネットワーク装置にハンドオーバ要求を送信することで、目標ネットワーク装置がハンドオーバを準備することと、目標ネットワーク装置がハンドオーバ要求に応じてハンドオーバ許可制御を行うことと、目標ネットワーク装置がハンドオーバを行うことを決定する場合、ソースネットワーク装置にハンドオーバ要求確認を送信することと、を含む。
【０１４９】
次にハンドオーバ実行段階を行い、該ハンドオーバ実行段階は図中のステップ７〜１１、具体的に、目標ネットワーク装置がＲＲＣ情報を生成し、ＲＲＣ接続再構成情報をソースネットワーク装置に送信し、ソースネットワーク装置がＲＲＣ接続再構成情報を端末装置に送信することと、端末装置がＲＲＣ接続再構成情報を受信した後、接続再構成情報に基づいてハンドオーバ処理を実行することと、次にソースネットワーク装置が前記目標ネットワーク装置にデータを転送することと、端末装置と目標ネットワーク装置が同期した後、目標ネットワーク装置によるＵＬ割り当てを受信し、目標ネットワーク装置にＲＲＣ接続再構成完了情報を送信することと、を含む。
【０１５０】
最後にハンドオーバ完了段階に入り、該ハンドオーバ完了段階は図中の１２〜１８、具体的に、目標ネットワーク装置がＭＭＥに経路ハンドオーバ要求を送信することで、端末装置のセルが変わったことをＭＭＥに通知することと、ＭＭＥがサービスゲートウェイにベアラ調整要求を送信し、ＭＭＥがダウンリンク経路のハンドオーバ処理を行うことと、サービスゲートウェイが処理を完了した後、ＭＭＥにベアラ調整完了処理を送信して、ＭＭＥが目標ネットワーク装置に経路ハンドオーバ要求の確認メッセージを送信することと、目標ネットワーク装置がソースネットワーク装置に端末装置のコンテキスト解放を通知し、ソースネットワーク装置がリソースを解放することと、を含む。
【０１５１】
前記第４通信ユニット９１は更に、
ソースネットワーク装置から転送されたデータ状態報告を受信すること、
ソースネットワーク装置から転送されたソースネットワーク装置側のデータパケットのシーケンス番号（ＳＮ）を受信すること、
ソースネットワーク装置から転送されたデータ無線ベアラ（ＤＲＢ）構成を受信すること、のうちの少なくとも１つを実行する。
【０１５２】
具体的に、ソースネットワーク装置が目標ネットワーク装置に転送した情報はＳＮ状態伝送情報を含んでもよく、ＳＮ状態情報にはアップリンクパケットデータ収束プロトコル（ＰＤＣＰ、Ｐａｃｋｅｔ  Ｄａｔａ  Ｃｏｎｖｅｒｇｅｎｃｅ  Ｐｒｏｔｏｃｏｌ）ＳＮの受信状態及びダウンリンクＰＤＣＰ  ＳＮの伝送状態等が含まれる。更に、アップリンクＰＤＣＰ  ＳＮの受信状態は少なくともＰＤＣＰ  ＳＮの１番目の紛失したアップリンクＳＤＵを含み、更にアップリンクＳＤＵの順不同受信状態のビットマップを含んでもよい。ダウンリンクＰＤＣＰ  ＳＮの伝送状態は次のＰＤＣＰ  ＳＮを含んでもよく、次のＰＤＣＰ  ＳＮは目標ネットワーク装置が割り当てようとする新たなＳＤＵである。なお、ここで他の情報を網羅しない。
【０１５３】
更に説明されるように、目標ネットワーク装置がセカンダリノード（ＳＮ）であってもよく、前記ソースネットワーク装置がマスターノード（ＭＮ）である。ここで注意されるように、ロングタームエボリューション（ＬＴＥ）システムにおいて、ＳＮはＳＣＧと称されるが、新無線（ＮＲ）においてＳＮと称され、同様の概念、即ちＤＣシーンにおける第２サービスネットワーク装置を指す。具体的に、端末装置の接続状態は端末装置がソースネットワーク装置との接続を保持して、目標ネットワーク装置との接続に失敗すること、端末装置がソースネットワーク装置との接続を切断して、目標ネットワーク装置との接続に成功すること、端末装置がセカンダリセル群（ＳＣＧ）との接続に失敗し、ＳＣＧが接続の変化に失敗することであってもよい。当然ながら、複数のＳＣＧを設定したシーンにおいて、端末装置と１つのＳＣＧとの接続に失敗すること、複数の目標セルを設定したシーンにおいて、端末装置と１つの目標セルとの接続に失敗することであってもよい。他の適用シーンがある可能性があるが、本実施例では網羅しない。
【０１５４】
本実施例のシーンにおいて、前記目標ネットワーク装置は第４処理ユニット９２を更に備え、
前記第４処理ユニット９２は、前記目標ネットワーク装置と端末装置との接続に成功した場合、前記ソースネットワーク装置から送信されたデータを保持し、
前記目標ネットワーク装置と端末装置との接続に失敗した場合、前記ソースネットワーク装置から送信されたデータを削除する。
【０１５５】
すなわち、目標ネットワーク装置と端末装置が接続を行うとき、ソースネットワーク装置から送信されたデータを受信し始めるが、目標ネットワーク装置と端末装置との接続の確立に成功又は失敗したことを決定する場合、ソースネットワーク装置から送信されたデータを保持するかどうかを決定する。このように、ネットワーク装置の記憶負荷を増加せずにハンドオーバ効率を確保することができる。
【０１５６】
以上によれば、上記解決手段により、ソースネットワーク装置は直接に端末装置の少なくとも１つの目標ネットワーク装置にデータを伝送することができる。このように、本解決手段はソースネットワーク装置がデータを送信する新たなシーンを提供し、それにより本解決手段はより多くのハンドオーバシーンに適用される。且つ、ソースネットワーク装置は直接に目標ネットワーク装置にデータを送信することができるため、本解決手段はハンドオーバを完了した後、端末装置の関連データを取得するプロセスを簡素化することができ、それによりハンドオーバ効率を更に向上させる。
【０１５７】
図１０は本願の実施例に係る通信装置１０００の構造模式図であり、通信装置は本実施例に記載の端末装置又はネットワーク装置であってもよい。図１０に示される通信装置１０００はプロセッサ１０１０を備え、プロセッサ１０１０はメモリからコンピュータプログラムを呼び出して実行して、本願の実施例の方法を実現することができる。
【０１５８】
選択肢として、図１０に示すように、通信装置１０００は更にメモリ１０２０を備えてもよい。プロセッサ１０１０はメモリ１０２０からコンピュータプログラムを呼び出して実行して、本願の実施例の方法を実現することができる。
【０１５９】
メモリ１０２０はプロセッサ１０１０から独立した１つの独立したデバイスであってもよく、プロセッサ１０１０に統合されてもよい。
【０１６０】
選択肢として、図１０に示すように、通信装置１０００は更に送受信機１０３０を備えてもよく、プロセッサ１０１０は該送受信機１０３０と他の装置との通信を制御することができ、具体的に、他の装置に情報又はデータを送信し、又は他の装置から送信された情報又はデータを受信することができる。
【０１６１】
送受信機１０３０は送信機及び受信機を備えてもよい。送受信機１０３０は更にアンテナを備えてもよく、アンテナの数が１つ又は複数であってもよい。
【０１６２】
選択肢として、該通信装置１０００は具体的に本願の実施例のネットワーク装置であってもよく、且つ該通信装置１０００は本願の実施例の各方法におけるネットワーク装置の実現する対応プロセスを実現することができる。簡潔のために、ここで詳細な説明は省略する。
【０１６３】
選択肢として、該通信装置１０００は具体的に本願の実施例の端末装置又はネットワーク装置であってもよく、且つ該通信装置１０００は本願の実施例の各方法におけるモバイル端末／端末装置の実現する対応プロセスを実現することができる。簡潔のために、ここで詳細な説明は省略する。
【０１６４】
図１１は本願の実施例のチップの構造模式図である。図１１に示されるチップ１１００はプロセッサ１１１０を備え、プロセッサ１１１０はメモリからコンピュータプログラムを呼び出して実行して、本願の実施例の方法を実現することができる。
【０１６５】
選択肢として、図１１に示すように、チップ１１００は更にメモリ１１２０を備えてもよい。プロセッサ１１１０はメモリ１１２０からコンピュータプログラムを呼び出して実行して、本願の実施例の方法を実現することができる。
【０１６６】
メモリ１１２０はプロセッサ１１１０から独立した１つの独立したデバイスであってもよく、プロセッサ１１１０に統合されてもよい。
【０１６７】
選択肢として、該チップ１１００は更に入力インターフェース１１３０を備えてもよい。プロセッサ１１１０は該入力インターフェース１１３０と他の装置又はチップとの通信を制御することができ、具体的に、他の装置又はチップから送信された情報又はデータを取得することができる。
【０１６８】
選択肢として、該チップ１１００は更に出力インターフェース１１４０を備えてもよい。プロセッサ１１１０は該出力インターフェース１１４０と他の装置又はチップとの通信を制御することができ、具体的に、他の装置又はチップに情報又はデータを出力することができる。
【０１６９】
選択肢として、該チップは本願の実施例のネットワーク装置に適用されてもよく、且つ該チップは本願の実施例の各方法におけるネットワーク装置の実現する対応プロセスを実現することができる。簡潔のために、ここで詳細な説明は省略する。
【０１７０】
選択肢として、該チップは本願の実施例の端末装置に適用されてもよく、且つ該チップは本願の実施例の各方法における端末装置の実現する対応プロセスを実現することができる。簡潔のために、ここで詳細な説明は省略する。
【０１７１】
理解されるように、本願の実施例に言及したチップは更にシステムレベルチップ、システムチップ、チップシステム又はシステムオンチップ等と称されてもよい。
【０１７２】
図１２は本願の実施例に係る通信システム１２００の模式的なブロック図である。図１２に示すように、該通信システム１２００は端末装置１２１０及びネットワーク装置１２２０を備える。
【０１７３】
該端末装置１２１０は上記方法における端末装置の実現する対応機能を実現することに用いられてもよく、該ネットワーク装置１２２０は上記方法におけるネットワーク装置の実現する対応機能を実現することに用いられてもよい。簡潔のために、ここで詳細な説明は省略する。
【０１７４】
理解されるように、本願の実施例のプロセッサは信号処理機能を有する集積回路チップでありうる。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで遂行し、又は復号プロセッサにおけるハードウェア及びソフトウェアモジュールの組み合わせで遂行するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０１７５】
理解されるように、本願の実施例では、メモリは揮発性メモリ又は不揮発性メモリであってもよく、又は、揮発性メモリ及び不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ、Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）は利用可能である。注意されるように、本明細書に説明されるシステム及び方法のメモリはこれらのメモリ及び任意の他の適切なタイプのメモリを含むが、それらに限らないように意図されるものである。
【０１７６】
理解されるように、上記メモリは例示的な説明であって制限的ではなく、例えば、本願の実施例のメモリは更にスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。すなわち、本願の実施例のメモリはこれらのメモリ及び任意の他の適切なタイプのメモリを含むが、それらに限らないように意図されるものである。
【０１７７】
本願の実施例はコンピュータプログラムを記憶することに用いられるコンピュータ可読記憶媒体を更に提供する。
【０１７８】
選択肢として、該コンピュータ可読記憶媒体は本願の実施例のネットワーク装置に適用されてもよく、且つ該コンピュータプログラムによってコンピュータが本願の実施例の各方法におけるネットワーク装置の実現する対応プロセスを実行する。簡潔のために、ここで詳細な説明は省略する。
【０１７９】
選択肢として、該コンピュータ可読記憶媒体は本願の実施例の端末装置に適用されてもよく、且つ該コンピュータプログラムによってコンピュータが本願の実施例の各方法におけるモバイル端末／端末装置の実現する対応プロセスを実行する。簡潔のために、ここで詳細な説明は省略する。
【０１８０】
本願の実施例はコンピュータプログラム命令を含むコンピュータプログラム製品を更に提供する。
【０１８１】
選択肢として、該コンピュータプログラム製品は本願の実施例のネットワーク装置に適用されてもよく、且つ該コンピュータプログラム命令によってコンピュータが本願の実施例の各方法におけるネットワーク装置の実現する対応プロセスを実行する。簡潔のために、ここで詳細な説明は省略する。
【０１８２】
選択肢として、該コンピュータプログラム製品は本願の実施例のモバイル端末／端末装置に適用されてもよく、且つ該コンピュータプログラム命令によってコンピュータが本願の実施例の各方法におけるモバイル端末／端末装置の実現する対応プロセスを実行する。簡潔のために、ここで詳細な説明は省略する。
【０１８３】
本願の実施例は更にコンピュータプログラムを提供する。
【０１８４】
選択肢として、該コンピュータプログラムは本願の実施例のネットワーク装置に適用されてもよく、該コンピュータプログラムがコンピュータにおいて実行されるとき、コンピュータが本願の実施例の各方法におけるネットワーク装置の実現する対応プロセスを実行する。簡潔のために、ここで詳細な説明は省略する。
【０１８５】
選択肢として、該コンピュータプログラムは本願の実施例のモバイル端末／端末装置に適用されてもよく、該コンピュータプログラムがコンピュータにおいて実行されるとき、コンピュータが本願の実施例の各方法におけるモバイル端末／端末装置の実現する対応プロセスを実行する。簡潔のために、ここで詳細な説明は省略する。
【０１８６】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０１８７】
当業者であれば明確に理解できるように、説明を容易で簡単にするために、上記説明されるシステム、装置及びユニットの具体的な動作過程については、前述の方法実施例における対応過程を参照してもよく、ここで詳細な説明は省略する。
【０１８８】
本願に係るいくつかの実施例では、理解されるように、開示されるシステム、装置及び方法は他の方式で実現されてもよい。例えば、以上に説明される装置実施例は模式的なものに過ぎず、例えば、前記ユニットの区別は論理機能上の区別に過ぎず、実際に実現するとき、他の区別方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１８９】
分離部材として説明される前記ユニットは物理的に分離してもよく、物理的に分離しなくてもよく、ユニットとして表示される部材は物理ユニットであってもよく、物理ユニットでなくてもよく、即ち、一箇所に位置してもよく、複数のネットワークユニットに配置されてもよい。実際の必要に応じて、その一部又は全部のユニットを選択して本実施例案の目的を実現してもよい。
【０１９０】
また、本願の各実施例では、各機能ユニットは１つの処理ユニットに統合されてもよく、各ユニットは独立して物理的に存在してもよく、２つ以上のユニットは１つのユニットに統合されてもよい。
【０１９１】
前記機能はソフトウェア機能ユニットの形式で実現され、独立した製品として販売又は使用されるときは、１つのコンピュータ可読記憶媒体に記憶されてもよい。このような理解に基づいて、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等であってもよい）に本願の各実施例に記載の方法の全部又は一部のステップを実行させるための若干の命令を含む１つの記憶媒体に記憶される。上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０１９２】
以上の説明は本願の具体的な実施形態に過ぎず、本願の保護範囲を制限するためのものではない。当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2022501888.tif 000003
【図２】
2022501888.tif 000004
【図３】
2022501888.tif 000005
【図４】
2022501888.tif 000006
【図５】
2022501888.tif 000007
【図６】
2022501888.tif 000008
【図７】
2022501888.tif 000009
【図８】
2022501888.tif 000010
【図９】
2022501888.tif 000011
【図１０】
2022501888.tif 000012
【図１１】
2022501888.tif 000013
【図１２】
2022501888.tif 000014
【手続補正書】
【提出日】令和3年3月26日(2021.3.26)
【手続補正１】
【補正対象書類名】明細書
【補正対象項目名】００２１
【補正方法】変更
【補正の内容】
【００２１】
本願の実施例の技術案は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇシステム等に適用されてもよい。
【手続補正２】
【補正対象書類名】明細書
【補正対象項目名】００３７
【補正方法】変更
【補正の内容】
【００３７】
ハンドオーバ準備段階は図中のステップ１〜６、即ちソースネットワーク装置が端末装置に測定制御を送信することと、端末装置が複数のネットワーク装置又はセルに対する測定を行った後、ソースネットワーク装置に測定報告を送信することと、ソースネットワーク装置が測定報告に基づいて（又は、無線リソース管理ＲＲＭ情報と組み合わせて）ハンドオーバ策略を行うことと、ソースネットワーク装置が目標ネットワーク装置にハンドオーバ要求を送信することで、目標ネットワーク装置がハンドオーバを準備することと、目標ネットワーク装置がハンドオーバ要求に応じてハンドオーバ許可制御を行うことと、目標ネットワーク装置がハンドオーバを行うことを決定する場合、ソースネットワーク装置にハンドオーバ要求確認を送信することと、を含む。
【手続補正３】
【補正対象書類名】明細書
【補正対象項目名】００３８
【補正方法】変更
【補正の内容】
【００３８】
次にハンドオーバ実行段階を行い、該ハンドオーバ実行段階は図中のステップ７〜１１、具体的に、目標ネットワーク装置が無線リソース制御ＲＲＣ情報を生成し、ＲＲＣ接続再構成情報をソースネットワーク装置に送信し、ソースネットワーク装置がＲＲＣ接続再構成情報を端末装置に送信することと、端末装置がＲＲＣ接続再構成情報を受信した後、接続再構成情報に基づいてハンドオーバ処理を実行することと、次にソースネットワーク装置が前記目標ネットワーク装置にデータを転送することと、端末装置と目標ネットワーク装置が同期した後、目標ネットワーク装置によるＵＬ割り当てを受信し、目標ネットワーク装置にＲＲＣ接続再構成完了情報を送信することと、を含む。
【手続補正４】
【補正対象書類名】明細書
【補正対象項目名】００３９
【補正方法】変更
【補正の内容】
【００３９】
最後にハンドオーバ完了段階に入り、該ハンドオーバ完了段階は図中のステップ１２〜１８、具体的に、目標ネットワーク装置がＭＭＥに経路ハンドオーバ要求を送信することで、端末装置のセルが変わったことをＭＭＥに通知することと、ＭＭＥがサービスゲートウェイにベアラ調整要求を送信し、サービスゲートウェイがダウンリンク経路のハンドオーバ処理を行うことと、サービスゲートウェイが処理を完了した後、ＭＭＥにベアラ調整完了情報を送信して、ＭＭＥが目標ネットワーク装置に経路ハンドオーバ要求の確認メッセージを送信することと、目標ネットワーク装置がソースネットワーク装置に端末装置のコンテキスト解放を通知し、ソースネットワーク装置がリソースを解放することと、を含む。
【手続補正５】
【補正対象書類名】明細書
【補正対象項目名】００４１
【補正方法】変更
【補正の内容】
【００４１】
具体的に、ソースネットワーク装置が目標ネットワーク装置に転送した情報はＳＮ状態伝送情報を含んでもよい。ＳＮ状態情報にはアップリンクパケットデータ収束プロトコル（ＰＤＣＰ、Ｐａｃｋｅｔ  Ｄａｔａ  Ｃｏｎｖｅｒｇｅｎｃｅ  Ｐｒｏｔｏｃｏｌ）ＳＮの受信状態及びダウンリンクＰＤＣＰ  ＳＮの伝送状態等が含まれる。更に、アップリンクＰＤＣＰ  ＳＮの受信状態は少なくともＰＤＣＰ  ＳＮの１番目の紛失したアップリンクサービスデータユニットＳＤＵを含み、更にアップリンクＳＤＵの順不同受信状態のビットマップを含んでもよい。ダウンリンクＰＤＣＰ  ＳＮの伝送状態は次のＰＤＣＰ  ＳＮを含んでもよく、次のＰＤＣＰ  ＳＮは目標ネットワーク装置が割り当てようとする新たなＳＤＵである。なお、ここで他の情報を網羅しない。
【手続補正６】
【補正対象書類名】明細書
【補正対象項目名】００４２
【補正方法】変更
【補正の内容】
【００４２】
更に、本実施例の１つのシーンは端末装置が切り換えるとき、ソースネットワーク装置との接続状態を保持する場合を含み、このとき、目標ネットワーク装置はセカンダリノード（ＳＮ）であってもよく、前記ソースネットワーク装置はマスターノード（ＭＮ）である。ここで注意されるように、ロングタームエボリューション（ＬＴＥ）システムにおいて、ＳＮはＳＣＧと称されるが、新無線（ＮＲ）においてＳＮと称され、同様の概念、即ち二重接続ＤＣシーンにおける第２サービスネットワーク装置を指す。具体的に、端末装置の接続状態は端末装置がソースネットワーク装置との接続を保持して、目標ネットワーク装置との接続に失敗すること、端末装置がソースネットワーク装置との接続を切断して、目標ネットワーク装置との接続に成功すること、端末装置がセカンダリセル群（ＳＣＧ）との接続に失敗し、ＳＣＧが接続の変化に失敗することであってもよい。当然ながら、複数のＳＣＧを設定したシーンにおいて、端末装置と１つのＳＣＧとの接続に失敗すること、複数の目標セルを設定したシーンにおいて、端末装置と１つの目標セルとの接続に失敗することであってもよい。他の適用シーンがある可能性があるが、本実施例では網羅しない。
【手続補正７】
【補正対象書類名】明細書
【補正対象項目名】００５５
【補正方法】変更
【補正の内容】
【００５５】
最後にハンドオーバ完了段階に入り、該ハンドオーバ完了段階は図中のステップ１２〜１８、具体的に、目標ネットワーク装置がＭＭＥに経路ハンドオーバ要求を送信することで、端末装置のセルが変わったことをＭＭＥに通知することと、ＭＭＥがサービスゲートウェイにベアラ調整要求を送信し、サービスゲートウェイがダウンリンク経路のハンドオーバ処理を行うことと、サービスゲートウェイが処理を完了した後、ＭＭＥにベアラ調整完了情報を送信して、ＭＭＥが目標ネットワーク装置に経路ハンドオーバ要求の確認メッセージを送信することと、目標ネットワーク装置がソースネットワーク装置に端末装置のコンテキスト解放を通知し、ソースネットワーク装置がリソースを解放することと、を含む。
【手続補正８】
【補正対象書類名】明細書
【補正対象項目名】００７１
【補正方法】変更
【補正の内容】
【００７１】
最後にハンドオーバ完了段階に入り、該ハンドオーバ完了段階は図中のステップ１２〜１８、具体的に、目標ネットワーク装置がＭＭＥに経路ハンドオーバ要求を送信することで、端末装置のセルが変わったことをＭＭＥに通知することと、ＭＭＥがサービスゲートウェイにベアラ調整要求を送信し、サービスゲートウェイがダウンリンク経路のハンドオーバ処理を行うことと、サービスゲートウェイが処理を完了した後、ＭＭＥにベアラ調整完了情報を送信して、ＭＭＥが目標ネットワーク装置に経路ハンドオーバ要求の確認メッセージを送信することと、目標ネットワーク装置がソースネットワーク装置に端末装置のコンテキスト解放を通知し、ソースネットワーク装置がリソースを解放することと、を含む。
【手続補正９】
【補正対象書類名】明細書
【補正対象項目名】００７７
【補正方法】変更
【補正の内容】
【００７７】
本実施例の他のシーンにおいて、ソースネットワーク装置は端末装置に複数の目標ネットワーク装置を設定する可能性があり、このとき、前記端末装置の目標ネットワーク装置へのハンドオーバに成功したことを決定した場合、前記目標ネットワーク装置にデータを転送する前に、前記ソースネットワーク装置は、端末装置にハンドオーバ命令を送信し、前記ハンドオーバ命令は端末装置に少なくとも１つの目標ネットワーク装置を示すことに用いられる。すなわち、ソースネットワーク装置が端末装置に複数の目標ネットワーク装置を設定した場合、それに応じて、前記端末装置はその中から現在接続を開始する目標ネットワーク装置として１つのものを選択することとなり、このとき、ソースネットワーク装置と接続を保持したり、切断したりしてもよい。
【手続補正１０】
【補正対象書類名】明細書
【補正対象項目名】００８７
【補正方法】変更
【補正の内容】
【００８７】
最後にハンドオーバ完了段階に入り、該ハンドオーバ完了段階は図中のステップ１２〜１８、具体的に、目標ネットワーク装置がＭＭＥに経路ハンドオーバ要求を送信することで、端末装置のセルが変わったことをＭＭＥに通知することと、ＭＭＥがサービスゲートウェイにベアラ調整要求を送信し、サービスゲートウェイがダウンリンク経路のハンドオーバ処理を行うことと、サービスゲートウェイが処理を完了した後、ＭＭＥにベアラ調整完了情報を送信して、ＭＭＥが目標ネットワーク装置に経路ハンドオーバ要求の確認メッセージを送信することと、目標ネットワーク装置がソースネットワーク装置に端末装置のコンテキスト解放を通知し、ソースネットワーク装置がリソースを解放することと、を含む。
【手続補正１１】
【補正対象書類名】明細書
【補正対象項目名】０１０２
【補正方法】変更
【補正の内容】
【０１０２】
最後にハンドオーバ完了段階に入り、該ハンドオーバ完了段階は図中のステップ１２〜１８、具体的に、目標ネットワーク装置がＭＭＥに経路ハンドオーバ要求を送信することで、端末装置のセルが変わったことをＭＭＥに通知することと、ＭＭＥがサービスゲートウェイにベアラ調整要求を送信し、サービスゲートウェイがダウンリンク経路のハンドオーバ処理を行うことと、サービスゲートウェイが処理を完了した後、ＭＭＥにベアラ調整完了情報を送信して、ＭＭＥが目標ネットワーク装置に経路ハンドオーバ要求の確認メッセージを送信することと、目標ネットワーク装置がソースネットワーク装置に端末装置のコンテキスト解放を通知し、ソースネットワーク装置がリソースを解放することと、を含む。
【手続補正１２】
【補正対象書類名】明細書
【補正対象項目名】０１０８
【補正方法】変更
【補正の内容】
【０１０８】
本実施例の他のシーンにおいて、ソースネットワーク装置は端末装置に複数の目標ネットワーク装置を設定する可能性がある。このとき、前記端末装置の目標ネットワーク装置へのハンドオーバに成功したことを決定した場合、前記目標ネットワーク装置にデータを転送する前に、端末装置にハンドオーバ命令を送信し、前記ハンドオーバ命令は端末装置に少なくとも１つの目標ネットワーク装置を示すことに用いられる。すなわち、ソースネットワーク装置が端末装置に複数の目標ネットワーク装置を設定した場合、それに応じて、前記端末装置はその中から現在接続を開始する目標ネットワーク装置として１つのものを選択することとなり、このとき、ソースネットワーク装置と接続を保持したり、切断したりしてもよい。
【手続補正１３】
【補正対象書類名】明細書
【補正対象項目名】０１１８
【補正方法】変更
【補正の内容】
【０１１８】
最後にハンドオーバ完了段階に入り、該ハンドオーバ完了段階は図中のステップ１２〜１８、具体的に、目標ネットワーク装置がＭＭＥに経路ハンドオーバ要求を送信することで、端末装置のセルが変わったことをＭＭＥに通知することと、ＭＭＥがサービスゲートウェイにベアラ調整要求を送信し、サービスゲートウェイがダウンリンク経路のハンドオーバ処理を行うことと、サービスゲートウェイが処理を完了した後、ＭＭＥにベアラ調整完了情報を送信して、ＭＭＥが目標ネットワーク装置に経路ハンドオーバ要求の確認メッセージを送信することと、目標ネットワーク装置がソースネットワーク装置に端末装置のコンテキスト解放を通知し、ソースネットワーク装置がリソースを解放することと、を含む。
【手続補正１４】
【補正対象書類名】明細書
【補正対象項目名】０１２８
【補正方法】変更
【補正の内容】
【０１２８】
ソースネットワーク装置から転送されたデータを受信する前に、又は、端末装置の目標ネットワーク装置へのハンドオーバに成功したことを決定した場合、第３通信ユニット８２はソースネットワーク装置に前記目標ネットワーク装置の識別子情報を送信する。
【手続補正１５】
【補正対象書類名】明細書
【補正対象項目名】０１３４
【補正方法】変更
【補正の内容】
【０１３４】
最後にハンドオーバ完了段階に入り、該ハンドオーバ完了段階は図中のステップ１２〜１８、具体的に、目標ネットワーク装置がＭＭＥに経路ハンドオーバ要求を送信することで、端末装置のセルが変わったことをＭＭＥに通知することと、ＭＭＥがサービスゲートウェイにベアラ調整要求を送信し、サービスゲートウェイがダウンリンク経路のハンドオーバ処理を行うことと、サービスゲートウェイが処理を完了した後、ＭＭＥにベアラ調整完了情報を送信して、ＭＭＥが目標ネットワーク装置に経路ハンドオーバ要求の確認メッセージを送信することと、目標ネットワーク装置がソースネットワーク装置に端末装置のコンテキスト解放を通知し、ソースネットワーク装置がリソースを解放することと、を含む。
【手続補正１６】
【補正対象書類名】明細書
【補正対象項目名】０１４０
【補正方法】変更
【補正の内容】
【０１４０】
本実施例の他のシーンにおいて、ソースネットワーク装置は端末装置に複数の目標ネットワーク装置を設定する可能性がある。このとき、前記端末装置の目標ネットワーク装置へのハンドオーバに成功したことを決定した場合、前記目標ネットワーク装置にデータを転送する前に、前記ソースネットワーク装置は端末装置にハンドオーバ命令を送信し、前記ハンドオーバ命令は端末装置に少なくとも１つの目標ネットワーク装置を示すことに用いられる。すなわち、ソースネットワーク装置が端末装置に複数の目標ネットワーク装置を設定した場合、それに応じて、前記端末装置はその中から現在接続を開始する目標ネットワーク装置として１つのものを選択することとなり、このとき、ソースネットワーク装置と接続を保持したり、切断したりしてもよい。
【手続補正１７】
【補正対象書類名】明細書
【補正対象項目名】０１５０
【補正方法】変更
【補正の内容】
【０１５０】
最後にハンドオーバ完了段階に入り、該ハンドオーバ完了段階は図中のステップ１２〜１８、具体的に、目標ネットワーク装置がＭＭＥに経路ハンドオーバ要求を送信することで、端末装置のセルが変わったことをＭＭＥに通知することと、ＭＭＥがサービスゲートウェイにベアラ調整要求を送信し、サービスゲートウェイがダウンリンク経路のハンドオーバ処理を行うことと、サービスゲートウェイが処理を完了した後、ＭＭＥにベアラ調整完了情報を送信して、ＭＭＥが目標ネットワーク装置に経路ハンドオーバ要求の確認メッセージを送信することと、目標ネットワーク装置がソースネットワーク装置に端末装置のコンテキスト解放を通知し、ソースネットワーク装置がリソースを解放することと、を含む。
【手続補正１８】
【補正対象書類名】明細書
【補正対象項目名】０１６３
【補正方法】変更
【補正の内容】
【０１６３】
選択肢として、該通信装置１０００は具体的に本願の実施例の端末装置又はモバイル端末であってもよく、且つ該通信装置１０００は本願の実施例の各方法におけるモバイル端末／端末装置の実現する対応プロセスを実現することができる。簡潔のために、ここで詳細な説明は省略する。
【手続補正１９】
【補正対象書類名】特許請求の範囲
【補正対象項目名】全文
【補正方法】変更
【補正の内容】
【特許請求の範囲】
【請求項１】
ソースネットワーク装置に適用されるデータ伝送方法であって、
端末装置の目標ネットワーク装置へのハンドオーバに成功したことを決定した場合、前記目標ネットワーク装置にデータを転送することを含むデータ伝送方法。
【請求項２】
前記端末装置の目標ネットワーク装置へのハンドオーバに成功したことを決定した場合、前記方法は更に、
前記目標ネットワーク装置の識別子情報を受信することを含む請求項１に記載の方法。
【請求項３】
前記目標ネットワーク装置の識別子情報を受信することは、
端末装置から送信されたハンドオーバに成功した目標ネットワーク装置の識別子情報を受信すること、又は、
前記目標ネットワーク装置から送信された識別子情報を受信することを含む請求項２に記載の方法。
【請求項４】
前記目標ネットワーク装置にデータを転送することは、
前記目標ネットワーク装置にアップリンクデータ及び／又はダウンリンクデータを転送することを含む請求項１〜３のいずれか１項に記載の方法。
【請求項５】
前記目標ネットワーク装置にデータを転送することは更に、
前記目標ネットワーク装置にデータ状態報告を送信すること、
前記目標ネットワーク装置にソースネットワーク装置側のデータパケットのシーケンス番号（ＳＮ）を送信すること、
前記目標ネットワーク装置にデータ無線ベアラ（ＤＲＢ）構成を送信すること、のうちの少なくとも１つを含む請求項４に記載の方法。
【請求項６】
前記端末装置の目標ネットワーク装置へのハンドオーバに成功したことを決定した場合、前記目標ネットワーク装置にデータを転送する前に、前記方法は更に、
端末装置にハンドオーバ命令を送信し、前記ハンドオーバ命令が端末装置に少なくとも１つの目標ネットワーク装置を示すことに用いられることを含む請求項１〜５のいずれか１項に記載の方法。
【請求項７】
前記ハンドオーバ命令は少なくとも１つの目標ネットワーク装置の再構成メッセージを含む請求項６に記載の方法。
【請求項８】
目標ネットワーク装置に適用されるデータ伝送方法であって、
端末装置の目標ネットワーク装置へのハンドオーバに成功したことを決定した場合、ソースネットワーク装置から転送されたデータを受信することを含むデータ伝送方法。
【請求項９】
前記端末装置の目標ネットワーク装置へのハンドオーバに成功したことを決定した場合、前記方法は更に、
ソースネットワーク装置に前記目標ネットワーク装置の識別子情報を送信することを含む請求項８に記載の方法。
【請求項１０】
前記ソースネットワーク装置から転送されたデータを受信することは、
前記ソースネットワーク装置から転送されたアップリンクデータ及び／又はダウンリンクデータを受信することを含む請求項８又は９に記載の方法。
【請求項１１】
前記ソースネットワーク装置から転送されたデータを受信することは更に、
前記ソースネットワーク装置から転送されたデータ状態報告を受信すること、
前記ソースネットワーク装置から転送されたソースネットワーク装置側のデータパケットのシーケンス番号（ＳＮ）を受信すること、
前記ソースネットワーク装置から転送されたデータ無線ベアラ（ＤＲＢ）構成を受信すること、のうちの少なくとも１つを含む請求項１０に記載の方法。
【請求項１２】
ソースネットワーク装置であって、請求項１〜７のいずれか１項に記載の方法を実行するように構成されるソースネットワーク装置。
【請求項１３】
目標ネットワーク装置であって、請求項８〜１１のいずれか１項に記載の方法を実行するように構成される目標ネットワーク装置。
【請求項１４】
コンピュータプログラムを記憶することに用いられ、前記コンピュータプログラムによってコンピュータが請求項１〜７のいずれか１項に記載の方法のステップを実行するコンピュータ可読記憶媒体。
【請求項１５】
コンピュータプログラムを記憶することに用いられ、前記コンピュータプログラムによってコンピュータが請求項８〜１１のいずれか１項に記載の方法のステップを実行するコンピュータ可読記憶媒体。
【国際調査報告】
2022501888.tif 000015
2022501888.tif 000016
2022501888.tif 000017
2022501888.tif 000018